(57)【特許請求の範囲】
【請求項１】
複数の櫛歯を有し全体形状が薄い板状で、櫛歯と櫛歯以外の部分がすべて一体成形されている頭髪用の櫛において、
櫛の長手方向に平行な直線を基準線とし、基準線に平行で櫛の全体形状の板状体に直交する平面を基準面とした場合に、
櫛歯の基部を基準面に平行に切断した場合の断面形状が直線あるいは曲線あるいは直線と曲線の組合わせからなる扁平形状であって、該扁平形状の長軸が上記基準線に対して４５°〜８５°の範囲の角度を有しており、
基準面に平行で基準線に直交する視線を側面視とした場合に、側面視にて隣接する櫛歯どうしが重ならない、
ことを特徴とする頭髪用の櫛。
【請求項２】
１本の櫛歯の基部の断面の上記扁平形状の中心点と、隣接する櫛歯の基部の断面の上記扁平形状の中心点との間の距離が頭髪用の櫛の全体形状の薄い板状体の最大の厚さよりも大である頭髪用の櫛において、
上記扁平形状の長軸が基準線に対して４５°〜６５°の範囲の角度を有している、
ことを特徴とする請求項１に記載の頭髪用の櫛。
【請求項３】
１本の櫛歯の基部の断面の上記扁平形状の中心点と、隣接する櫛歯の基部の断面の上記扁平形状の中心点との間の距離が頭髪用の櫛の全体形状の薄い板状体の最大の厚さよりも小であり、全体形状の薄い板状体の最大の厚さの３分の１よりも大である頭髪用の櫛において、
上記扁平形状の長軸が基準線に対して５５°〜８５°の範囲の角度を有している、
ことを特徴とする請求項１に記載の頭髪用の櫛。
【請求項４】
櫛歯の長手方向の軸線が基準線に対してなす角度のうち鋭角の方の角度が６０°〜８５°の範囲内である、
ことを特徴とする請求項２あるいは請求項３に記載の頭髪用の櫛。
【発明の詳細な説明】
【技術分野】
【０００１】
本発明は、頭髪用の櫛に関するものであり、さらに詳しくは、複数の櫛歯を有し全体形状が薄い板状で、櫛歯と櫛歯以外の部分がすべて一体成形されている頭髪用の櫛に関し、下記の構成を有する頭髪用の櫛に関するものである。このタイプの櫛は、柄部を持たないタイプと柄部を有するタイプがあるが、いずれも全体が一体として薄い板状体をなすものとして成形されている点に特徴を有し、板状体や棒状体に別部材として可撓性の歯を多数植設した所謂ブラシ、あるいはヘアブラシと呼称されるタイプの櫛は、本発明の範囲には含まれない。
＜構成１＞
複数の櫛歯を有し全体形状が薄い板状で、櫛歯と櫛歯以外の部分がすべて一体成形されている頭髪用の櫛において、
櫛の長手方向に平行な直線を基準線とし、基準線に平行で櫛の全体形状の板状体に直交する平面を基準面とした場合に、
櫛歯の基部を基準面に平行に切断した場合の断面形状が直線あるいは曲線あるいは直線と曲線の組合わせからなる扁平形状であって、該扁平形状の長軸が上記基準線に対して４５°〜８５°の範囲の角度を有しており、
基準面に平行で基準線に直交する視線を側面視とした場合に、側面視にて隣接する櫛歯どうしが重ならない、
ことを特徴とする頭髪用の櫛。
＜構成２＞
１本の櫛歯の基部の断面の上記扁平形状の中心点と、隣接する櫛歯の基部の断面の上記扁平形状の中心点との間の距離が頭髪用の櫛の全体形状の薄い板状体の最大の厚さよりも大である頭髪用の櫛において、
上記扁平形状の長軸が基準線に対して４５°〜６５°の範囲の角度を有している、
ことを特徴とする構成１に記載の頭髪用の櫛。
＜構成３＞
１本の櫛歯の基部の断面の上記扁平形状の中心点と、隣接する櫛歯の基部の断面の上記扁平形状の中心点との間の距離が頭髪用の櫛の全体形状の薄い板状体の最大の厚さよりも小であり、全体形状の薄い板状体の最大の厚さの３分の１よりも大である頭髪用の櫛において、
上記扁平形状の長軸が基準線に対して５５°〜８５°の範囲の角度を有している、
ことを特徴とする構成１に記載の頭髪用の櫛。
＜構成４＞
櫛歯の長手方向の軸線が基準線に対してなす角度のうち鋭角の方の角度が６０°〜８５°の範囲内である、
ことを特徴とする構成２あるいは構成３に記載の頭髪用の櫛。
【背景技術】
【０００２】
本願の発明者は、先に、下記特許文献３に記載の「頭髪用の櫛」を出願したが、この「頭髪用の櫛」は、櫛の長手方向に平行な直線に対して櫛歯を斜向植設することによって、頭髪の１房を平板状に整えた所謂「パネル」と称される頭髪束を梳く際に、施術者（理美容師）の負担感あるいは疲労感をできるだけ軽減させるようにした発明である。本願の「頭髪用の櫛」は、この下記特許文献３に記載の「頭髪用の櫛」にさらに改良を加えることによって成るものであるので、その次第を以下に説明する。
【０００３】
理美容師が用いる頭髪用の櫛には様々な種類のものがあるが、図２５にその代表的な例として２種の櫛を掲げる。図２５ａに示す櫛Ｊｃは、理美容師の間の通称で「ジャンボコーム」と呼称されるもので、全体が大ぶりであり、柄部を有し、櫛歯ｊが太く、また隣接する櫛歯ｊ、ｊの間の間隔も大である。このような櫛Ｊｃは、通常、細かい調髪作業に移る前の下準備の段階において、被術者（図示せず）の頭髪をおおまかに整えるために用いられる。
【０００４】
これに対し、図２５ｂに掲げる櫛Ｃｃは、理美容師の間の通称で「カッティングコーム」と呼ばれるもので、全体が細長く、櫛歯ｃ（ｃ１、ｃ２）も細く、櫛歯ｃ、ｃの間の間隔も図２５ａの櫛Ｊｃ（ジャンボコーム）に比較するとかなり狭く構成されている。図２５ｂの櫛Ｃｃは、比較的蜜である櫛歯ｃ１、ｃ１、……の列を有する密歯部ｃＤと、比較的疎である櫛歯ｃ２、ｃ２、……の列を有する疎歯部ｃＲの２種類の櫛歯部が１本の櫛Ｃｃに構成されている種類のものであるが、全体が１種類の密度の櫛歯の列からなるカッティングコームも、図示はしないが当然存在する。
【０００５】
図２５ａの櫛Ｊｃの、特に櫛歯ｊの構成を、図２６に示す。櫛Ｊｃは図２５ａに示すように、櫛Ｊｃの長手方向に平行な直線を基準線ｘｊとすると、櫛歯ｊの長手方向の軸線ｙは基準線ｘｊに対して直交している。すなわち、角度αｊは９０°となっている。
【０００６】
また、図２６ａは、図２５ａにおけるａ−ａ線拡大断面図であり、櫛Ｊｃの櫛歯ｊの基部ｊａにおける断面形状を示すものである。先に、櫛Ｊｃの長手方向に平行な直線を基準線ｘｊとしたが、基準線ｘｊに平行で櫛Ｊｃの全体形状の板状体に直交する平面を基準面ｆｊ（図２５ａ参照）とすると、図２６ａは、櫛Ｊｃの櫛歯ｊの基部ｊａに交わる基準面ｆｊにて複数の櫛歯ｊ、ｊ、……の列を切断した状態を示す図となる。図２６ａにて、ｄ１は隣接する櫛歯ｊ、ｊの間隔を示し、櫛歯ｊの列の両端部を除けば、間隔ｄ１は略一定である。また、ｄ２は櫛Ｊｃの全体形状をなす薄い板状体の最大の厚さを示しており、櫛Ｊｃは所謂ジャンボコームであるので、ｄ１＞ｄ２である。
【０００７】
図２６ｂは櫛ｊｃの複数の櫛歯ｊ、ｊ、……のうちの１本を取り出して描いた拡大斜視図である。櫛歯ｊは櫛Ｊｃの全体と一体に成形されているので、１本の櫛歯ｊを取り外すことは不可能であるが、仮にできたとして、想定で描いた斜視図である。
【０００８】
櫛歯ｊは、基部ｊａのｂ−ｂ線（図２６ｂ参照）の断面形状が図２６ｃに示すように菱形形状ｌ１の２ヶ所の鋭角部分を丸めた略算盤玉様の扁平形状ｆｊ１であり、扁平形状ｆｊ１は直線と曲線の組合わせからなる。この扁平形状ｆｊ１の長軸をｊｘ１とすると、長軸ｊｘ１は基準線ｘｊに直交する。すなわち、櫛歯ｊは、基部ｊａにおいて基準面ｆｊに平行に切断した場合の断面形状の扁平形状ｆｊ１の長軸ｊｘ１が基準線ｘｊに直交するように植設されている。また、櫛歯ｊの端部ｊｂは、そのｃ−ｃ線（図２６ｂ参照）の断面形状が図２６ｄに示すように長円形状ｆｊ２であり、長円形状ｆｊ２の長軸ｊｘ２も基準線ｘｊに直交している。さらに、櫛歯ｊの先端部ｊｃ（図２６ｂ参照）は略球面状に成形されている。
【０００９】
次に、図２５ｂに示す櫛Ｃｃ（カッティングコーム）の、特に櫛歯ｃ（ｃ１、ｃ２）の構成を、図２７ａ〜図２８ｄに示す。図２７ａ〜図２７ｄは櫛Ｃｃの密歯部ｃＤにおける櫛歯ｃ１の構成を、また、図２８ａ〜図２８ｄは櫛Ｃｃの疎歯部ｃＲにおける櫛歯ｃ２の構成を示すものである。図２５ｂに示すように櫛Ｃｃの長手方向に平行な直線を基準線ｘｃとすると、櫛Ｃｃの密歯部ｃＤにおいては櫛歯ｃ１の長手方向の軸線ｙ１は基準線ｘｃに対して直交している。すなわち、角度αｃ１は９０°となっている。また、櫛Ｃｃの疎歯部ｃＲにおいては図２５ｂに示すように、櫛歯ｃ２の長手方向の軸線ｙ２も基準線ｘｃに対して直交している。すなわち、角度αｃ２も９０°となっている。また、ｆｃは基準線ｘｃに平行で櫛Ｃｃの全体形状の板状体に直交する平面であり、これを基準面ｆｃとする。
【００１０】
また、図２７ａは、櫛Ｃｃの密歯部ｃＤの拡大底面図である。ｄ３は隣接する櫛歯ｃ１、ｃ１の間隔を示し、密歯部ｃＤにおいて、間隔ｄ３は略一定である。また、ｄ５は櫛Ｃｃの全体形状の薄い板状体の最大の厚さを示しており、櫛Ｃｃは所謂カッティングコームであるので、ｄ３＜ｄ５である。さらに、図２７ｂは櫛Ｃｃの密歯部ｃＤにおける複数の櫛歯ｃ１、ｃ１、……のうちの１本を取り出して描いた拡大斜視図である。櫛歯ｃ１は櫛Ｃｃの全体と一体に成形されているので、１本の櫛歯ｃ１を取り外すことは不可能であるが、仮にできたとして、想定で描いた斜視図である。
【００１１】
櫛歯ｃ１は、基部ｃ１ａのｄ−ｄ線（図２７ｂ参照）の断面形状が、図２７ｃに示すように菱形形状ｌ２の２ヶ所の鋭角部分を丸めた略算盤玉様の扁平形状ｆｃ１であり、扁平形状ｆｃ１は直線と曲線の組合わせからなる。この扁平形状ｆｃ１の長軸をｃｘ１とすると、長軸ｃｘ１は基準線ｘｃに直交し、基準面ｆｃに平行である。すなわち、櫛歯ｃ１は、基部ｃ１ａにおいて基準面ｆｃに平行に切断した場合の断面形状の扁平形状ｆｃ１の長軸ｃｘ１が基準線ｘｃに直交するように植設されている。また、櫛歯ｃ１の端部ｃ１ｂは、そのｅ−ｅ線（図２７ｂ参照）の断面形状が図２７ｄに示すように長円形状ｆｃ２であり、長円形状ｆｃ２の長軸ｃｘ２も基準線ｘｃに直交し、基準面ｆｃに平行である。さらに、櫛歯ｃ１の先端部ｃ１ｃ（図２７ｂ参照）は略球面状に成形されている。
【００１２】
また、図２８ａは、櫛Ｃｃの疎歯部ｃＲの拡大底面図である。ｄ４は隣接する櫛歯ｃ２、ｃ２の間隔を示し、疎歯部ｃＲにおいて、間隔ｄ４は略一定である。また、ｄ５は櫛Ｃｃの全体形状の薄い板状体の最大の厚さを示しており、櫛Ｃｃは所謂カッティングコームであるので、ｄ４＜ｄ５である。さらに、図２８ｂは櫛Ｃｃの疎歯部ｃＲにおける複数の櫛歯ｃ２、ｃ２、……のうちの１本を取り出して描いた拡大斜視図である。櫛歯ｃ２は櫛Ｃｃの全体と一体に成形されているので、１本の櫛歯ｃ２を取り外すことは不可能であるが、仮にできたとして、想定で描いた斜視図である。
【００１３】
櫛歯ｃ２は、基部ｃ２ａのｆ−ｆ線（図２８ｂ参照）の断面形状が図２８ｃに示すように菱形形状ｌ３の２ヶ所の鋭角部分を丸めた略算盤玉様の扁平形状ｆｃ３であり、扁平形状ｆｃ３は直線と曲線の組合わせからなる。この扁平形状ｆｃ３の長軸をｃｘ３とすると、長軸ｃｘ３は基準線ｘｃに直交し、基準面ｆｃに平行である。すなわち、櫛歯ｃ２は、基部ｃ２ａにおいて基準面ｆｃに平行に切断した場合の断面形状の扁平形状ｆｃ３の長軸ｃｘ３が基準線ｘｃに直交するように植設されている。また、櫛歯ｃ２の端部ｃ２ｂは、そのｇ−ｇ線（図２８ｂ参照）の断面形状が図２８ｄに示すように長円形状ｆｃ４であり、長円形状ｆｃ４の長軸ｃｘ４も基準線ｘｃに直交し、基準面ｆｃに平行である。さらに、櫛歯ｃ２の先端部ｃ２ｃは略球面状に成形されている（図２８ｂ参照）。なお、扁平形状ｆｃ３は、密歯部ｃＤの櫛歯ｃ１の基部ｃ１ａの断面形状の扁平形状ｆｃ１（図２７ｃ参照）よりやや肉厚に構成されている。
【００１４】
以上に説明した頭髪用の櫛が、理美容の現場にて、実際にどのように用いられているかを示したのが図２９ａである。図２９ａにて、ＡＣはその左手ＬＨと右手ＲＨのみが図示されている施術者（理美容師）であり、ＰＡは被術者（顧客）である。施術者ＡＣは、被術者ＰＡの調髪に先立って、まず被術者ＰＡの頭髪を梳り、通称「パネル」と呼ばれる平板状に整えた頭髪の束を作る。そして、このパネルＰを鋏（図示せず）やレザー（図示せず）でカットしたり、あるいは「ロッド」と呼ばれる円筒形状の道具（図示せず）に巻いてパーマ処理をしたり、さらに染色を施したりする。したがって、このパネルＰを作る工程（理美容師の間で「パネルを取る」という）が、後のすべての作業の基礎となる。
【００１５】
このパネルＰは、まず、被術者ＰＡの頭髪から適当な量の頭髪束を櫛にて掻き取り、その先端あるいは中間部を図２９ｂに示すように、普通、左手ＬＨの人差し指と中指の間に挟み、矢印方向に力をかけて引張させ、平板状となった部分を櫛にて梳ることにより行われる。ただし、このパネルＰを取る作業を右手ＲＨで行う場合も当然ある。左手ＬＨで行うか、右手ＲＨで行うかはその時の作業の流れに応じて適宜決められるものであり、施術者ＡＣは、左右どちらの手にても適正なパネルを取れるように訓練される。
【００１６】
この際、被術者ＰＡの頭髪から適当な量の頭髪束を取り分ける作業、及びパネルＰの平板状となった部分を梳る作業に使われるのが図２５ｂに示す、カッティングコームと呼ばれる櫛Ｃｃである。また、図２５ａに示すジャンボコームと呼ばれる櫛Ｊｃは、上記作業の前段階として、被術者ＰＡの頭髪を大まかに整えるために使用されるが、その際にもやはり櫛ＪｃにてパネルＰを取り、それを梳って整えるので、方法としては図２９ａ、図２９ｂに図示しているやり方と同様である。
【００１７】
図３０ａは、櫛Ｃｃの密歯部ｃＤにてパネルＰを梳っている状態を表す。矢印で示す方向ａ１は、櫛Ｃｃを移動させる方向である。この際に、最も作業が円滑に運ぶ方法は、櫛歯ｃ１、ｃ１、……をパネルＰを構成する毛髪ｈ、ｈ、……の方向ａ２と平行にして梳っていくことであるのは明白である。すなわち、櫛Ｃｃの基準線ｘｃをパネルＰと直交させて梳る方法である。というのは、前述のように、櫛歯ｃ１、ｃ１、……は基準線ｘｃに対して直角に植設されているから、櫛歯ｃ１、ｃ１、……をパネルＰを構成する毛髪ｈ、ｈ、……の方向ａ２と平行にするためには、櫛Ｃｃの基準線ｘｃをパネルＰと直交させなければならないからである。
【００１８】
ところが、このように櫛Ｃｃの基準線ｘｃをパネルＰと直交させようとすると、施術者ＡＣの、特に櫛Ｃｃを把持する右手ＲＨに無理がかかることになる。すなわち、右腕の肘を張り、しかも高い位置に保持して作業を続けなければならないので、施術者ＡＣは作業が連続すると疲れを覚え、櫛Ｃｃもその角度が除々に傾いてくる。すなわち、図３０ｂに示すように、櫛Ｃｃを把持する右手ＲＨの位置が少しずつ下がりはじめ、櫛Ｃｃは右方が下がるように傾いて、基準線ｘｃとパネルＰの長手方向に平行な方向ａ２がなす角度のうち、小さい方の角度ε１が鋭角状になってくる。
【００１９】
この点は、下記特許文献３に詳述されているところである。本願発明者が、下記特許文献３に記載の発明を行った時点においては、施術者ＡＣにおいて最も疲労感の少ない角度ε１は４５°程度であろうと考えられていた。しかるに、下記特許文献３に記載の発明を行った時点からさらに様々の理美容師に聞き取りを行って綿密に調べたところ、この角度ε１はもう少し大きく、６０°〜８５°くらいの間の数値であり、現在、平均値として７６°という値が得られている。すなわち、櫛ＣｃをパネルＰに対して角度ε１が７６°前後になるように傾けた状態が、施術者ＡＣにおいては最も疲れの少ない楽な姿勢で作業を継続できる状態であるということが判明されてきた。
【００２０】
そこで、本願発明者は、図３１ａに示す櫛Ｃを製作して多数の理美容師に使用してもらい、その結果を聞き取り調査によって検討した。図３１ａに示す櫛Ｃは、密歯部ＣＤにおいても疎歯部ＣＲにおいても、櫛歯Ｃ１の長手方向の軸線Ｙ１が基準線ＸＣに対してなす角度のうち鋭角の方の角度αＣ１、櫛歯Ｃ２の長手方向の軸線Ｙ２が基準線ＸＣに対してなす角度のうち鋭角の方の角度αＣ２が共に７６°になるように構成してある。
【００２１】
図３１ｂは、櫛Ｃを用いてパネルＰを梳っている状態を示すもので、方向ａ１は櫛Ｃの移動方向を示す。櫛Ｃの基準線ＸＣとパネルＰの長手方向に平行な方向ａ２のなす角度ε２を７６°となるように櫛ＣをパネルＰに当てたとき、平均的な施術者ＡＣは櫛Ｃを把持する右手の姿勢を最も疲れの少ない位置に保持できる。しかも、この状態にて、櫛歯Ｃ１はパネルＰの長手方向と平行な方向ａ２にパネルＰを梳るので、極めて円滑に調髪作業が進行する。下記特許文献３にては、櫛歯と基準線のなす角度範囲を３５°〜７５°としたが、これをさらに改良して当該角度を７６°とした櫛Ｃは、様々な理美容師において、非常に評判が良く、使いやすく疲れないという感想が多く寄せられた。
【００２２】
本願発明者は、この櫛Ｃを得たことによって、当該発明の技術内容は略到達点に達したと考えた。しかし、その後もさらに使用感の聞き取り調査を行ううちに、櫛Ｃには使用上の意外な盲点が存することが明らかとなってきた。その盲点とは、以下のとおりである。
【００２３】
すなわち、櫛Ｃは、施術者ＡＣが最も楽な姿勢で櫛Ｃを把持した場合に、たしかにパネルＰに吸い込まれるように進入していくので、極めて使用感が良い。しかも、櫛Ｃを把持する手に無理な角度を強いることがないので疲れにくい。その点では、この技術内容は略完璧の域に達していることが確認できた。しかしながら、さらに使用者の間から起こってきた声は、パネルＰを櫛Ｃにて一定位置で保持し、さらにはそのままパネルＰを櫛Ｃにて持ち上げようとした場合に、パネルＰを構成する毛髪ｈ、ｈ、……が櫛歯Ｃ１あるいは櫛歯Ｃ２の間から容易に脱落して、パネルＰの保持や持上げが難しいという感想であった。
【００２４】
この点を、図３２、図３３にて詳細に説明する。図３２は、従来の櫛Ｃｃの密歯部ｃＤにてパネルＰを梳っている状態を拡大してその一部を図示した模式図で、図３０ｂの一部を拡大して模式的に表示したものに相当するが、説明の便のために、パネルＰはその一部を仮想線（２点鎖線）にて表示するに留め、パネルＰを構成する毛髪ｈ、ｈ、……のうちの１本の毛髪ｈを取り上げて櫛Ｃｃとの関係を説明する。
【００２５】
図３２において、櫛歯ｃ１は、パネルＰの長手方向と平行な方向ａ２に沿った方向ａ１に移動するが、櫛歯ｃ１の軸線ｙ１と方向ａ２の間には角度ε３（９０°から角度ε１を差し引いた角度）が生じているため、櫛歯ｃ１の先端部ｃ１ｃが毛髪ｈに当接してから基部ｃ１ａが毛髪ｈに当接するまでに、毛髪ｈを強制的に図３２の右方向に引っ張ることになる。すなわち、毛髪ｈには元々ｂ１方向（頭皮）とｂ２方向（施術者ＡＣの手）に力が働いているので、毛髪ｈは基部ｃ１ａに当接する箇所にて距離δ１だけ右方向に強制移動させられることとなる。したがって、櫛歯ｃ１の基部ｃ１ａにて毛髪ｈには横方向に余分な力ｆ１が働いていることになる。
【００２６】
このように、頭髪のパネルＰの長手方向に直交する方向に余分な力ｆ１が加えられるため、この抵抗感によって円滑な調髪が疎外されることとなった。しかるに、図３３（図３１ｂの一部を拡大した模式図）に示すように最初から基準線ＸＣに対して櫛歯Ｃ１の軸線Ｙ１が一定の角度αＣ１（図３１ａ参照）で傾斜させられている櫛Ｃにおいては、軸線Ｙ１がパネルＰの長手方向に平行な方向ａ２と平行となり、方向ａ２と平行な方向ａ１に櫛Ｃを移動させることにより、横方向への余分な力ｆ２が最小限度に抑えられる。すなわち、基部Ｃ１ａにおける毛髪ｈの横方向への移動は櫛歯Ｃ１の厚さの半分という僅かな距離δ２に留まるので、基部Ｃ１ａに働く力ｆ２は図３２の力ｆ１に比較すると、ほとんど無視し得る程度となる。
【００２７】
もっとも、図３２あるいは図３０ｂにおいても、実際の作業にては、パネルＰの角度を左手ＬＨにて微妙にひねったり、櫛Ｃｃの角度を変化させたりして、力ｆ１がそのままの大きさで働く状態は回避するので、現実には力ｆ１と力ｆ２の差は、施術者ＡＣの櫛Ｃｃの使い方によってある程度縮めることができるが、それでも明白に使用感に差が生じる。すなわち、図３３の櫛Ｃｃにおいては、櫛Ｃｃを保持する手を楽な姿勢にすると力ｆ１が大きくなってパネルＰを梳る際の抵抗感が増大するし、逆にこの抵抗感を減らそうと思えば、櫛ＣｃをパネルＰに対して直角にできるだけ近く保持せねばならず、無理な姿勢による疲労感が増大する。これに対して、図３３の櫛Ｃの場合には、櫛Ｃを把持する手を楽な姿勢としたままで、殆ど抵抗感を受けることなくパネルＰを梳ることができる。この点は、先述のとおりである。
【００２８】
しかしながら、櫛Ｃｃあるいは櫛ＣがパネルＰに対してなす作業は、梳るという作業だけではなく、実は、もう一つ大切な作業がある。それは、パネルＰを櫛Ｃｃあるいは櫛Ｃにて保持するという作業であり、この点が、先述の、櫛Ｃの意外な盲点と重要な関連を持つ。この点を、さらに詳しく説明すると、次のとおりである。
【００２９】
すなわち、被験者ＰＡ（図２９ａ参照）の頭髪から最初にパネルＰを取るときは無論のこと、その後の作業にても、櫛Ｃｃあるいは櫛ＣにてパネルＰを保持しながらもう一方の手に鋏（図示せず）を持ってカットする、あるいはやはり同様にパネルＰを保持しながらパーマ用のロッド（図示せず）を巻いたり、さらには染色したりと、様々な作業が行われる。なお、当然、この際には、パネルＰを挟んでいた手を別の作業に使うので、パネルＰは、櫛Ｃｃあるいは櫛Ｃのみに保持され、あるいは持上げられることになる。
【００３０】
この際、図３２（あるいは図３０ｂ）に示す櫛Ｃｃにては、櫛ＣｃにてパネルＰを保持するという作業を、何の問題もなく行うことが可能であった。すなわち、櫛歯ｃ１（図３２参照）がパネルＰに対して傾斜された状態で入っていくので、パネルＰを構成する毛髪ｈに横方向の力ｆ１が働く。この力ｆ１が櫛歯ｃ１と毛髪ｈの間に摩擦力を生じさせるので、そのままの状態で櫛Ｃｃを持上げると、複数の櫛歯ｃ１、ｃ１、……にパネルＰを構成する毛髪ｈ、ｈ、……が保持された状態でパネルＰ全体が持ち上がってくる。したがって、パネルＰを櫛Ｃｃにて保持した状態で、カットしたりロッドに巻いたりという後の作業を難なく行うことができた。
【００３１】
ところが、図３３（図３１ｂ）の櫛Ｃをもって同様の作業、すなわち、櫛ＣにてパネルＰを保持したり持上げたりする作業を行おうとすると、これが意外に難しいことが判明した。すなわち、櫛Ｃにては、横方向に働く力ｆ２が無視し得るほどに小さいがゆえに摩擦力によってパネルＰを保持するということができず、櫛歯Ｃ１、Ｃ１、……の間から、パネルＰを構成する毛髪ｈ、ｈ、……がばらばらと脱落して、後の作業に移ることが困難となることが明らかとなった。
【００３２】
櫛Ｃを用いてパネルＰを保持するためには、平行になっている櫛歯Ｃ１の軸線Ｙ１とパネルＰの長手方向に平行な方向ａ２との間に交差角を新たに付さねばならないが、これは、櫛ＣをパネルＰに対して図３１ｂの角度ε２からさらに傾ければ実現される。すなわち、角度ε２を増大させるか減少させるかすることによって櫛歯Ｃ１とパネルＰの間の平行関係をわざと破壊し、それによりパネルＰを構成する毛髪ｈ、ｈ、……に横方向の力を加えることによってパネルＰが櫛Ｃに保持されるようにしなければならない。しかし、これは、再び櫛Ｃを保持する手に無理な姿勢を強いることであり、櫛Ｃの発明の主旨にももとることとなる。
【００３３】
しかし、この、「櫛でパネルを保持する」という作用は、実は梳るという櫛の作用と並び立つ程の重要な作用である。特に、専門の理美容師が櫛を用いる際においては、櫛でパネルを保持しながら行われる作業が、カット、ロッド巻き、染色……というように多岐に渡るので、理美容師の用いる櫛においては、この作用を支障なく行えることが不可欠の条件となる。
【００３４】
下記特許文献１、２、４では、この「櫛でパネルを保持する」という作用を強調した技術内容を有する櫛の例が紹介されているので、以下にそのいくつかを紹介する。（但し、薄い板状体の櫛に限り、ブラシ類は含まない）この方面の技術内容を有する櫛の発明・考案は、国内、国外を問わず多数出願されており、このような状況を見ても「櫛でパネルを保持する」という作用が、特に、専門の理美容師においては櫛の大切な一つの作用として強く求められていることが窺い知れるものである。
【００３５】
下記特許文献１においては、櫛で毛髪をすくったときから既に毛髪に巻き癖を付けるということが主眼であるが、この特許文献１のリングコームは、大局的には「櫛でパネルを保持する」という技術内容に分類されるものであると考えられる。ただ、このリングコームにおいては、櫛自体に毛髪をカールさせる作用を付帯させているために、図４に見られるように櫛歯が急角度に捻られ、しかも過剰に密に植設されていて、櫛の有するもう一つの重要な作用である「梳る」という面（櫛の本来の作用）が、ここでは略完全に放棄されている。すなわち、このリングコームは、「コーム」という名称は有するものの、実際には頭髪をカールさせるロッドの作用の一部を担うものであり、通常の「櫛」の範疇で考えることはできない。ただ、このリングコームにおいては、「櫛でパネルを保持する」という作用が最大限に拡大されていることは事実である。
【００３６】
下記特許文献２の「櫛」においては、櫛歯を円柱状にすることによって、「梳る」という作用のさらなる円滑化を追及しているものであるが、図８に紹介されているコーム５０は、テール部（柄部）から遠い部分の櫛歯をテール部から近い部分の櫛歯より密に植設することによって、手の力の及びにくいテール部から遠い部分にても「櫛でパネルを保持する」という作用を保つことが考えられている。また、下記特許文献４の「櫛」においては、櫛歯の片側に複数の鉤状突起を設けることにより、「櫛でパネルを保持する」作用が最大限に生かされるように考えられている。
【００３７】
このように、「梳る」という櫛本来の作用と並んで、「櫛でパネルを保持する」という作用が、実は理美容師などの専門家が使う櫛に求められるもう一つの大きな作用であった。しかるに、図３１ａに示す櫛Ｃにては、「梳る」という作用はもうこれ以上は改良の余地がないところまで発展させることができたが、その反面、もう一つの「櫛でパネルを保持する」作用が疎かになり、この面にては逆に使いづらい櫛となっていた。
【００３８】
櫛の有する「梳る」という作用と「櫛でパネルを保持する」作用は、一見すると相矛盾する作用であるように思われる。すなわち、図３１ａに示す櫛Ｃのように「梳る」作用において優越する構成を有する櫛においては、「櫛でパネルを保持する」作用が損なわれざるを得ない。逆に、特許文献１や４のように「櫛でパネルを保持する」作用を卓越させた櫛においては、「梳る」という作用は大幅に損なわれている。また、特許文献２の図８に紹介されている、櫛歯の密度を変化させた櫛は、これで実際に頭髪を梳ろうとすれば、密度の高い部分にてどうしても抵抗が大きくなって、非常に使いずらいものとなることが予想される。実際、このような櫛が現場にて使用されている例は見かけない。
【００３９】
ここで、専門の理美容師が櫛に要求するもう一つの要請について、触れておかねばならない。それは、櫛に限らず、鋏やロッドやヘアクリップなどの各種の道具において、新たな技術内容のものを開発する場合に、従来から使用しているオーソドックスなスタイルの道具からかけ離れた形状のものは、実際の現場にては敬遠され、現実の仕事に使用されることがないという点である。すなわち、専門の理美容師が長年使用を続けてきた道具の形状というものは、数々の改良を経て洗練されてきた結果であるから、その形状や機能を大幅に変更するような道具の提案は、たとえ机上にてはうまくいくように思えても、必ず思いがけない欠陥が発見されて、普及しないのである。
【００４０】
したがって、下記特許文献１、４に見るような特殊な形状の櫛は、理論的には一定の作用効果を有するように設計されていても、実際に使用してみると、特に専門の理美容師においては、数々の不具合が見出されて、結局は現場の使用に耐えないものであることが明らかとなる。下記特許文献２の図８に紹介されている櫛は、下記特許文献１、４に見るような特殊な形状の櫛に比較するとまだ一般的な櫛の形状に近いが、現場において全く普及していないということは、やはり従来、専門の理美容師の手になじんだ形状の櫛からは大きくはずれるものであったことの証左といえる。
【００４１】
上記から、櫛に求められる２つの作用である「梳る」という作用と「櫛でパネルを保持する」作用を、どちらも損なうことなく両立させ、しかも従来の櫛の形状から大きくはずれることのない櫛を製作することが、本願発明者の新しい目標となった。具体的には、「梳る」という機能が最高度に満足されており、しかも、従来の櫛の形状を大きく変えてはいない図３１ａの櫛Ｃの構成を基本にして、ここに新たな構成を加えることによって、「櫛でパネルを保持する」機能をも満足させる櫛を開発することが、新たな目標となったのである。
【特許文献１】特開平５‐２２００１１号
【特許文献２】特開平９‐１３１２１５号公報
【特許文献３】特開２００７‐２０６９２号公報
【特許文献４】米国特許第２９１５０７１号公報
【発明の開示】
【発明が解決しようとする課題】
【００４２】
上記より、本発明の解決すべき課題をまとめれば、次のとおりとなる。
＜課題１＞
複数の櫛歯を有し全体形状が薄い板状で、櫛歯と櫛歯以外の部分がすべて一体成形されている頭髪用の櫛において、施術者に無理な姿勢を強いることなく頭髪のパネルを円滑に梳ることができると同時に、該櫛にて頭髪のパネルを保持し、あるいは持上げることのできる頭髪用の櫛を開発する。
＜課題２＞
その際、従来の櫛の形状からかけ離れた特殊な形状のものは、結局現場に受け容れられないというこれまでの事例を鑑み、全体形状や使い勝手においては、従来の櫛から大きくはずれたものとならないように考慮する。
【課題を解決するための手段】
【００４３】
本発明は、上記課題を解決するためになされたものであって、以下に示す解決手段を提供するものである。
＜解決手段１＞
複数の櫛歯を有し全体形状が薄い板状で、櫛歯と櫛歯以外の部分がすべて一体成形されている頭髪用での櫛において、
櫛の長手方向に平行な直線を基準線とし、基準線に平行で櫛の全体形状の板状体に直交する平面を基準面とした場合に、
櫛歯の基部を基準面に平行に切断した場合の断面形状が直線あるいは曲線あるいは直線と曲線の組合わせからなる扁平形状であって、該扁平形状の長軸が上記基準線に対して４５°〜８５°の範囲の角度を有しており、
基準面に平行で基準線に直交する視線を側面視とした場合に、側面視にて隣接する櫛歯どうしが重ならない、
ことを特徴とする頭髪用の櫛。
＜解決手段２＞
１本の櫛歯の基部の断面の上記扁平形状の中心点と、隣接する櫛歯の基部の断面の上記扁平形状の中心点との間の距離が頭髪用の櫛の全体形状の薄い板状体の最大の厚さよりも大である頭髪用の櫛において、
上記扁平形状の長軸が基準線に対して４５°〜６５°の範囲の角度を有している、
ことを特徴とする解決手段１に記載の頭髪用の櫛。
＜解決手段３＞
１本の櫛歯の基部の断面の上記扁平形状の中心点と、隣接する櫛歯の基部の断面の上記扁平形状の中心点との間の距離が頭髪用の櫛の全体形状の薄い板状体の最大の厚さよりも小であり、全体形状の薄い板状体の最大の厚さの３分の１よりも大である頭髪用の櫛において、
上記扁平形状の長軸が基準線に対して５５°〜８５°の範囲の角度を有している、
ことを特徴とする解決手段１に記載の頭髪用の櫛。
＜解決手段４＞
櫛歯の長手方向の軸線が基準線に対してなす角度のうち鋭角の方の角度が６０°〜８５°の範囲内である、
ことを特徴とする解決手段２あるいは解決手段３に記載の頭髪用の櫛。
【００４４】
解決手段１にて、櫛歯の基部を基準面に平行に切断した場合の断面形状が直線あるいは曲線あるいは直線と曲線の組合わせからなる扁平形状であって、該扁平形状の長軸が上記基準線に対して４５°〜８５°の範囲の角度を有しているとしているが、この角度限定は、試作品による聞き取り調査の結果である。なお、試作品にては櫛歯の基部の扁平形状は、従来の櫛における櫛歯の基部の扁平形状と略同一のものとして、従来の櫛の形状から余り大きく外れたものとならないように配慮したが、この点においては将来的にさらに形状に対する工夫の余地があると考えられる。また、基準面に平行で基準線に直交する視線を側面視とした場合に、側面視にて隣接する櫛歯どうしが重ならない、としたが、これは、「梳る」という作用において劣る櫛とならないためである。
【００４５】
解決手段２にては、隣接する櫛歯の間の距離が櫛の全体形状の薄い板状体の最大の厚さよりも大である頭髪用の櫛において、基部の扁平形状の長軸が基準線に対して４５°〜６５°の範囲の角度を有するとしたが、これは、具体的にはジャンボコームと通称される、大ぶりの櫛のことを主として想定している。すなわち、隣接する櫛歯の間隔が、全体の板厚よりも大であるジャンボコームにおいては、櫛歯の間隔がより狭い所謂カッティングコームに比較すると、元々頭髪のパネルの保持力は弱いので、従来のジャンボコームの基部を大きめに捻る状態とすることによって、頭髪のパネルの保持効果が大となるようにしたものである。
【００４６】
これに対し、解決手段３では、隣接する櫛歯の間の距離が頭髪用の櫛の全体形状の薄い板状体の最大の厚さよりも小でその厚さの３分の１よりも大である頭髪用の櫛において、基部の扁平形状の長軸が基準線に対して５５°〜８５°の範囲の角度を有するとしたが、これは、具体的にはカッティングコームと通称される、櫛歯の間隔がやや密である櫛のことを主として想定している。ただし、櫛歯の間隔が明らかに櫛の厚さの３分の１以下であるような、例えば前記特許文献１の図８に記載されているような特殊な形状の櫛は想定していない。あくまで、通常理美容の現場にて理美容師に良く用いられている形状の櫛の改良として考えているものである。
【００４７】
解決手段４にて、櫛歯の長手方向の軸線が基準線に対してなす角度のうち鋭角の方の角度を６０°〜８５°の範囲内と限定したが、これは、前述のように、多くの理美容師の意見による。すなわち、前記特許文献３に記載の頭髪用の櫛においては、この角度を３５°〜７５°の範囲内としていたが、この範囲の角度ではまだ使いづらいという意見が多く、その後いくつかの試作品にて新たに意見を聞いたところ、上記６０°〜８５°の範囲内の角度に支持が集まった。なお、全体の平均値の角度は、前述のとおり７６°であった。
【００４８】
上記カッティングコームのようなタイプの櫛においては、隣接する櫛歯の間隔がやや密である分、ジャンボコームのような櫛に比べると、元々頭髪のパネルの保持力は高い。したがって、上記のジャンボコームのような櫛において付したような櫛歯の基部の捻りを設けると、頭髪のパネルの保持力が高まるのは良いが、頭髪のパネルを梳るという作用の方に支障を生ずる惧れも出てくる。したがって、櫛歯の基部の捻り角度を、上記のジャンボコームのような櫛に比較するとやや小としたものである。
【発明の効果】
【００４９】
本発明の、解決手段１の発明によれば、櫛歯の基部を基準面に平行に切断した場合の断面形状が直線あるいは曲線あるいは直線と曲線の組合わせからなる扁平形状であって、該扁平形状の長軸が上記基準線に対して４５°〜８５°の範囲の角度を有しているので、櫛歯の基部における頭髪のパネルの保持能力が高められ、結果として、カットやロッド巻きや染色など、その後の作業に効率良く移行することができる。なお、櫛歯の基部の断面形状の扁平形状を従来の頭髪用の櫛の櫛歯の基部の断面形状の扁平形状と略同様のものとすることにより、従来の形状の頭髪用の櫛に慣れた施術者においても、さほどの違和感なく使用することが可能である。また、基準面に平行で基準線に直交する視線を側面視とした場合に、側面視にて隣接する櫛歯どうしが重ならないので、被術者の頭髪のパネルを梳くときに抵抗が大きくなりすぎず、「梳る」という作用においても劣る櫛とはならない。
【００５０】
本発明の、解決手段２の発明によれば、１本の櫛歯の基部の断面の上記扁平形状の中心点と、隣接する櫛歯の基部の断面の上記扁平形状の中心点との間の距離が頭髪用の櫛の全体形状の薄い板状体の最大の厚さよりも大である頭髪用の櫛において、上記扁平形状の長軸が基準線に対して４５°〜６５°の範囲の角度を有しているので、通称ジャンボコームと呼称されるような大ぶりで隣接する櫛歯の間隔が大きい櫛においても、適度な頭髪のパネルの保持力を有すると同時に、頭髪のパネルを梳る作用においても円滑な作業効率を実現することが可能である。
【００５１】
本発明の、解決手段３の発明によれば、１本の櫛歯の基部の断面の上記扁平形状の中心点と、隣接する櫛歯の基部の断面の上記扁平形状の中心点との間の距離が頭髪用の櫛の全体形状の薄い板状体の最大の厚さよりも小であり、全体形状の薄い板状体の最大の厚さの３分の１よりも大である頭髪用の櫛において、上記扁平形状の長軸が基準線に対して５５°〜８５°の範囲の角度を有しているので、通称カッティングコームと呼称されるような小ぶりで隣接する櫛歯の間隔が小さい櫛においても、適度な頭髪のパネルの保持力を有すると同時に、頭髪のパネルを梳る作用においても円滑な作業効率を実現することが可能である。
【００５２】
本発明の、解決手段４の発明によれば、櫛の長手方向に平行な直線を基準線とし、基準線に平行で櫛の全体形状の板状体に直交する平面を基準面とした場合に、櫛歯の長手方向の軸線が基準線に対してなす角度のうち鋭角の方の角度が６０°〜８５°の範囲内としているので、施術者が櫛を頭髪のパネルに対して櫛を保持する手の疲れが最も少ない角度にて当接させ梳る場合に、櫛歯が頭髪のパネルの長手方向に対して略平行となり、頭髪を梳る作用が極めて円滑に行われるものである。結果として、施術者は長時間の作業にても疲れが少なく、しかも最大の作業効率を実現することができる。なお、櫛の全体形状を従来の頭髪用の櫛の全体形状と余り変わらないものとすることにより、従来の形状の頭髪用の櫛に慣れた施術者においても、さほどの違和感なく使用することが可能である。
【発明を実施するための最良の形態】
【００５３】
本発明を実施するための最良の形態を、図面を参照しながら詳細に説明する。なお、図１〜図８は本発明の実施例１に関するものであり、図９〜図１７は本発明の実施例２に関するものであり、図１８〜図２４は本発明の実施例３に関するものである。
【実施例１】
【００５４】
本発明の実施例１の櫛１は、理美容師が被術者ＰＡ（図２９ａ参照）の頭髪を調髪する際に、予めおおまかに被術者ＰＡの頭髪全体を整えるために使用される、いわゆるジャンボコームと呼称されるタイプの櫛に分類されるものである。図１〜図３において、櫛１の全体構成を示す。櫛１は、全体が１枚の薄い板状体であり、その前部は複数の櫛歯１１が植設された作用部Ａとなり、後部は柄部Ｇとなっている。
【００５５】
作用部Ａに植設された櫛歯１１は、その長手方向の軸線Ｙ１１が、基準線Ｘ１１に対して、角度α１１（α１１＜９０°）をなすように傾斜させられている。なお、基準線Ｘ１１とは櫛１の長手方向に平行な任意の直線をいう。また、基準線Ｘ１１に平行で櫛１の全体形状の板状体に直交する平面を基準面Ｆ１とする（図３参照）。
【００５６】
角度α１１は、解決手段の項にて述べたように、６０°〜８５°の範囲内のいかなる数値をもとることができるが、図１に示す櫛１においては、角度α１１を７６°としている。これは、前にも述べたように、多くの理美容師に実際に使用してもらってその平均を出したものであるが、実際には、角度α１１を７４°〜７８°くらいの間に収めれば、相当数の理美容師において満足できる使い勝手の良い櫛となると考えられる。
【００５７】
櫛１において、隣接する櫛歯１１、１１間の間隔Ｄ１は、図４ａに見るように、櫛１の全体形状の板状体の最大の厚さＤ２より大となっているが、これは、櫛１が、作業を始めるにあたって、まず、被術者ＰＡ（図２９ａ参照）の頭髪全体をおおまかに整えるために用いられる、所謂「ジャンボコーム」と呼称される類の櫛であるためにほかならない。したがって、櫛歯１１も、全体が太めに構成されている。
【００５８】
図４ｂに櫛歯１１の構成を示す。実際には櫛歯１１は櫛１の一部として一体成形されているので、このように櫛歯１１を１本のみ取り外すことはできないが、図４ｂは櫛歯１１を取り外すことができればこのように示されるという想定のもとに描いたものである。
【００５９】
櫛歯１１は、先述のように長手方向の軸線Ｙ１１が基準線Ｘ１１に対して、角度α１１（α１１＜９０°）をなすように傾斜させられており、その基部１１ａの端面（Ｂ−Ｂ線の端面）は図５ａに見るように、菱形形状Ｌ１の２ヶ所の鋭角部分を丸めた略算盤玉様の扁平形状Ｆ１１ａであり、扁平形状Ｆ１１ａは直線と曲線の組合わせからなる。なお、Ｐ１１ａは、扁平形状Ｆ１１ａの中心である。
【００６０】
この扁平形状Ｆ１１ａの長軸をＸ１２とすると、長軸Ｘ１２は扁平形状Ｆ１１ａの中心Ｐ１１ａを通る。また、長軸Ｘ１２と基準線Ｘ１１の関係は以下のとおりである。すなわち、櫛歯１は、基部１１ａにおいて基準面Ｆ１に平行に切断した場合の断面形状の扁平形状Ｆ１１ａの長軸Ｘ１２が基準線Ｘ１１に対して角度β１１（β１１＜９０°）をなすように植設されている。また、櫛歯１１の端部１１ｂは、そのＣ−Ｃ線（図４ｂ参照）の断面形状が図４ｄに示すように円形に近い長円形状Ｆ１１ｂである。また、櫛歯１１の先端部１１ｃ（図４ｂ参照）は略球面状に成形されている。
【００６１】
角度β１１は、実施例１においては、４５°〜６５°の範囲内の角度とされるが、図１〜図３に示す櫛１においては、この角度β１１は５５°とされている。図５ｂは、基準線Ｘ１１と扁平形状Ｆ１１ｃの中心Ｐ１１ｃを通る長軸Ｘ１３のなす角度β１２を９０°とした扁平形状Ｆ１１ｃの例である。扁平形状Ｆ１１ｃの長軸Ｘ１３は、基準線Ｘ１１に直交する直線となる。
【００６２】
この場合には、従来技術の項にて述べた櫛Ｊｃ（図２５ａ参照）の櫛歯ｊの基部ｊａの扁平形状ｆｊ１（図２６ｃ参照）と略同様の構成となる。すなわち、図４ｄあるいは図５ａの扁平形状Ｆ１１ａは、図２６ｃの扁平形状ｆｊ１を底面視にて時計回りに３５°（９０°−５５°）回転させたものであって、櫛歯１１は、図２５ａの櫛Ｊｃの櫛歯ｊを基準線ｘｊに対して７６°の角度をなすように傾斜させ、さらに基部にて３５°捻ったものであるという言い方もできる。
【００６３】
実施例１の櫛１は、前述のように所謂「ジャンボコーム」と呼称される櫛に分類されるものであるので、隣接する櫛歯１１、１１の間隔Ｄ１が広めに（図４ａにてＤ１＞Ｄ２）設計されており、そのため、櫛歯１１の基部１１ａの捻り角度を大きくすることが可能である。すなわち、角度β１１の範囲を４５°〜６５°としているが、これは、図５ａに示す基部１１ａの扁平形状Ｆ１１ａの長軸Ｘ１２を、図５ｂに示す扁平形状Ｆ１１ｃから底面視で時計回りに角度γ１１だけ（図５ａ参照）、つまり２５°〜４５°の範囲内の任意の角度にて回転させた状態にあたる。（角度γ１１は９０°から角度β１１を差し引いた値となる）
【００６４】
図４ａにて、もし、隣接する櫛歯１１、１１の間隔Ｄ１が厚さＤ２以下となるならば、角度γ１１を３５°を越えてに捻ると、櫛１の「梳る」という作用に支障をきたすことも考えられる。これは、角度β１１の範囲を４５°〜６５°のうちの５５°未満とすることにあたり、間隔Ｄ１が厚さＤ２以下の場合にこのように基部１１ａの捻りを大きくすると、櫛歯１１の厚さによっては側面視にて隣接する櫛歯１１、１１が重なってしまい、被術者ＰＡ（図２９ａ参照）の頭髪のパネルＰを梳くときに抵抗が大きくなりすぎて、「パネルＰを保持する」という作用においては効果が大であるが、「梳る」という作用においては劣る櫛とならざるを得ない。
【００６５】
図６ａ、図６ｂには、櫛歯１１の別の構成である櫛歯１２を底面図にて示す。櫛歯１２は、基部１２ａの断面の形状が図６ｂに示すように扁平形状Ｆ１１ｄであって、扁平形状Ｆ１１ｄの長軸Ｘ１２ａは基準線Ｘ１１に対して角度β１１をもって交差している。なお、Ｐ１１ｄは扁平形状Ｆ１１ｄの中心である。
【００６６】
また、櫛歯１２の端部１２ｂの断面形状は、図６ｂに示すように長円形状Ｆ１１ｅであり、その中心Ｐ１１ｅを通る長軸Ｘ１２ｂは、扁平形状Ｆ１１ｄの長軸Ｘ１２ａと同じく角度β１１をもって基準線Ｘ１１と交差している。このように、端部１２ｂも基部１２ａと同一の角度で捻る構成としても良い。ただ、端部１２ｂにおいては、その断面面積が狭くなるので、基部１２ａと比較すると、端部１２ｂを捻ることによる効果はさほど大きくはないものと考えられる。
【００６７】
櫛歯１２の端部１２ｂの捻りを失くした状態が、図６ｃ、図６ｄに示す櫛歯１３である。櫛歯１３においては、基部１３ａの断面は、櫛歯１２の基部１２ａの断面の扁平形状Ｆ１１ｄと同一であるが、端部１３ｂの断面の長円形状Ｆ１１ｆは、その中心Ｐ１１ｆを通る長軸Ｘ１２ｃが基準線Ｘ１１と直交している。なお、Ｐ１１ｄは、上記のように扁平形状Ｆ１１ｄの中心である。
【００６８】
櫛歯１２と櫛歯１３を比較するならば、櫛歯１３は櫛歯１２に比べて頭髪のパネルＰ（図２９ａ）に当接してパネルＰに進入していく際に、多少の円滑さが感じられる。また、頭髪のパネルＰを保持しようとする場合には、基部１２ａあるいは基部１３ａまでしっかりとパネルに進入させて保持するのが通常であるので、そのような状態を前提とするなら、櫛歯１２と櫛歯１３の使用感には変わりがなくなる。
【００６９】
図７ａ、図７ｂには、さらに別の形態の櫛歯１４を示す。櫛歯１４は、基部１４ａの断面が長円形状Ｆ１１ｇで、その中心Ｐ１１ｇを通る長軸Ｘ１２ｄは基準線Ｘ１１と角度β１１をもって交差する。また、端部１４ｂにおける断面は、櫛歯１２（図６ｂ参照）の端部１２ｂにおける断面の長円形状Ｆ１１ｅと同一である。櫛歯１４は基部１４ａの断面が長円形状Ｆ１１ｇになっているので、櫛歯１２と比較すると頭髪のパネルＰを保持する作用がやや劣るが、その分、梳る作用は円滑に行うことができる。
【００７０】
図７ｃ、図７ｄには、さらに別の形態の櫛歯１５を示す。櫛歯１５は、基部１５ａの断面が小判状の形状Ｆ１１ｈで、その中心Ｐ１１ｈを通る長軸Ｘ１２ｅは基準線Ｘ１１と角度β１１をもって交差する。また、端部１５ｂにおける断面もやはり小判状の形状Ｆ１１ｉで、その中心Ｐ１１ｉを通る長軸Ｘ１２ｆは基準線Ｘ１１と角度β１１をもって交差する。櫛歯１５は、その作用としては櫛歯１４（図７ｂ参照）と略同一である。
【００７１】
図８ａ、図８ｂには、さらに別の形態の櫛歯１６を示す。櫛歯１６は、基部１６ａの断面が卵形形状Ｆ１１ｊで、その中心Ｐ１１ｊを通る長軸Ｘ１２ｇは基準線Ｘ１１と角度β１１をもって交差する。また、端部１６ｂにおける断面もやはり卵形形状Ｆ１１ｋで、その中心Ｐ１１ｋを通る長軸Ｘ１２ｈは基準線Ｘ１１と角度β１１をもって交差する。櫛歯１６は、その作用としては櫛歯１４（図７ｂ参照）と略同一である。
【００７２】
図８ｃ、図８ｄには、さらに別の形態の櫛歯１７を示す。櫛歯１７は、基部１７ａの断面がソラマメ型形状Ｆ１１ｌで、その中心Ｐ１１ｌを通る長軸Ｘ１２ｉは基準線Ｘ１１と角度β１１をもって交差する。また、端部１７ｂにおける断面もやはりソラマメ型形状Ｆ１１ｍで、その中心Ｐ１１ｍを通る長軸Ｘ１２ｊは基準線Ｘ１１と角度β１１をもって交差する。櫛歯１７は、その作用としては櫛歯１４（図７ｂ参照）と略同一である。
【実施例２】
【００７３】
本発明の実施例２の櫛２は、理美容師が被術者ＰＡ（図２９ｂ参照）の頭髪のパネルＰを取り、パネルＰを梳いて調髪し、さらに次の段階としてカットやロッド巻き、染色等を行うためにパネルＰを保持するために用いられるものであって、いわゆるカッティングコームと呼称されるタイプの櫛に分類されるものである。図９〜図１１において、櫛２の全体構成を示す。櫛２は、全体が１枚の薄い板状体であり、その前部は複数の櫛歯２１、２１、……が比較的密に植設された密歯部２Ｄとなり、後部は複数の櫛歯２２、２２、……が比較的疎に植設された疎歯部２Ｒとなっている。
【００７４】
図９ａ、図１０ａに見るように、密歯部２Ｄに植設された櫛歯２１は、その長手方向の軸線Ｙ２１が、基準線Ｘ２１に対して、角度α２１（α２１＜９０°）をなすように傾斜させられている。また、図９ａ、図１０ｂに見るように、疎歯部２Ｒに植設された櫛歯２２は、その長手方向の軸線Ｙ２２が、基準線Ｘ２１に対して、角度α２２（α２２＜９０°）をなすように傾斜させられている。
【００７５】
密歯部２Ｄにおいては櫛歯２１の上端が前方に傾斜するように構成され、これと対照的に疎歯部２Ｒにおいては櫛歯２２の上端が後方に傾斜するように構成されているので、密歯部２Ｄと疎歯部２Ｒの中間には、逆二等辺三角形状の把持部２Ｈが形成されている。なお、基準線Ｘ２１とは、実施例１同様、櫛２の長手方向に平行な任意の直線をいう。また、これも実施例と１同様に、基準線Ｘ２１に平行で櫛２の全体形状の板状体に直交する平面を基準面Ｆ２とする。
【００７６】
角度α２１、α２２は、解決手段の項にて述べたように、６０°〜８５°の範囲内のいかなる数値をもとることができるが、図９ａに示す櫛２においては、角度α２１、角度α２２を共に７６°としている。これは、実施例１の項でも述べたように、多くの理美容師に実際に使用してもらってその平均を出したものであるが、実際には、角度α２１、α２２を７４°〜７８°くらいの間に収めれば、相当数の理美容師において満足できる使い勝手の良い櫛となると考えられる。なお、櫛２にては、角度α２１、α２２を同一の角度としているが、両者を異なる角度にすることも無論可能である。ただ、この場合には、把持部２Ｈが逆不等辺三角形になる。
【００７７】
櫛２の密歯部２Ｄにおいて、隣接する櫛歯２１、２１間の間隔Ｄ３は、図１２ａに見るように、櫛２の全体形状の板状体の最大の厚さＤ５より小となり、疎歯部２Ｒにおいても、隣接する櫛歯２２、２２間の間隔Ｄ４は、図１３ａに見るように、櫛２の全体形状の板状体の最大の厚さＤ５より小となっている。
【００７８】
これは、櫛２が、すでに実施例１の櫛１のような、所謂「ジャンボコーム」と呼称される類の櫛によって大まかに整えられた頭髪にさらに細かい調整を施すために用いられるものであるためにほかならない。したがって、櫛歯２１、２２は、全体が細めに構成されている。なお、櫛２の疎歯部２Ｒは、櫛２を用いて行う作業の中でも前段階のやや粗めの作業に、櫛２の密歯部Ｄ２は、櫛２を用いて行う作業の中でも後段階のさらに細かい作業に、夫々用いられるものである。
【００７９】
図１２ｂに櫛歯２１の構成を示す。実際には櫛歯２１は櫛１の一部として一体成形されているので、このように櫛歯２１を１本のみ取り外すことはできないが、図１２ｂは櫛歯２１を取り外すことができればこのように示されるという想定のもとに描いたものである。
【００８０】
櫛歯２１は、先述のように長手方向の軸線Ｙ２１が基準線Ｘ２１に対して、角度α２１（α２１＜９０°）をなすように傾斜させられており、その基部２１ａの端面（図１２ｂのＤ−Ｄ線の端面）は図１４に見るように、菱形形状Ｌ２１の２ヶ所の鋭角部分を丸めた略算盤玉様の扁平形状Ｆ２１ａであり、扁平形状Ｆ２１ａは直線と曲線の組合わせからなる。なお、Ｐ２１ａは、扁平形状Ｆ２１の中心である。
【００８１】
この扁平形状Ｆ２１ａの長軸をＸ２ａとすると、長軸Ｘ２ａと基準線Ｘ２１の関係は以下のとおりである。すなわち、櫛歯２１は、基部２１ａにおいて基準面Ｆ２に平行に切断した場合の断面形状の扁平形状Ｆ２１ａの長軸Ｘ２ａが基準線Ｘ２１に対して角度β２１（β２１＜９０°）をなすように植設されている。また、櫛歯２１の端部２１ｂは、そのＥ−Ｅ線（図１２ｂ参照）の端面形状が図１２ｄに示すように円形に近い長円形状Ｆ２１ｂである。また、櫛歯２１の先端部２１ｃ（図１２ｂ参照）は略球面状に成形されている。
【００８２】
角度β２１は、実施例２においては、５５°〜８５°の範囲内の角度とされるが、図９〜図１１に示す櫛２においては、この角度β２１（図１２ａ参照）は６５°とされている。図１２ｄ、図１４にて、扁平形状Ｆ２１ａの中心Ｐ２１ａを通って基準線Ｘ２１に直交する直線Ｘ２ｃを設けると、長軸Ｘ２ａと直線Ｘ２ｃの交差する角度γ２１は９０°から角度β２１を差し引いた値となる。
【００８３】
したがって、図１２ｄ、図１４における扁平形状Ｆ２１ａは、図２７ｃの従来例の櫛Ｃｃの扁平形状ｆｃ１を、角度γ２１だけ底面視にて時計回りに回転させたものであるということもできる。そして、図１２ｄ、図１４においては、角度γ２１は２５°（９０°−６５°）である。したがって、櫛歯２１は、図２５ｂの櫛Ｃｃの櫛歯ｃ１を、基準線ｘｃに対して７６°の角度をなすように傾斜させ、さらに基部にて２５°捻ったものであるという言い方もできる。
【００８４】
実施例２の櫛２は、前述のように所謂「カッティングコーム」と呼称される櫛に分類されるものであるので、密歯部２Ｄにて隣接する櫛歯２１、２１の間隔が狭めに（図１２ａにおいてＤ３＜Ｄ５）設計されており、櫛歯２１の基部２１ａの捻り角度を余り大きくすることができない。すなわち、角度β２１の範囲を５５°〜８５°としているが、これは、角度γ２１にすると５°〜３５°の範囲となる。
【００８５】
Ｄ３＜Ｄ５の場合に、角度γ２１を３５°を越える値とすると、すなわち、角度β２１を５５°に満たない値とすると、櫛歯２１の厚さによっては側面視にて隣接する櫛歯２１、２１が重なってしまい、被術者ＰＡ（図２９参照）の頭髪のパネルＰを梳くときに抵抗が大きくなりすぎて、「パネルＰを保持する」という作用においては効果が大であるが、「梳る」という作用においては劣る櫛とならざるを得ない。これにより、角度β２１には５５°〜８５°という範囲を設けるものである。
【００８６】
図１６ａ、図１６ｂには、櫛歯２１の別の構成である櫛歯２３を示す。櫛歯２３は、基部２３ａの断面の形状が図１６ｂに示すように長円形状Ｆ２３ａで、その中心Ｐ２３ａを通る長軸Ｘ２ｄは基準線Ｘ２１と角度β２１をもって交差する。また、端部２３ｂにおける断面は、図１６ｂに示すように長円形状Ｆ２３ｂで、その長軸Ｘ２ｅは基準線Ｘ２１と角度β２１をもって交差する。櫛歯２３は基部２３ａの断面が長円形状Ｆ２３ａになっているので、櫛歯２１と比較すると頭髪のパネルＰを保持する作用がやや劣るが、その分、梳る作用は円滑に行うことができる。
【００８７】
図１６ｃ、図１６ｄには、さらに別の形態の櫛歯２４を示す。櫛歯２４は、基部２４ａの断面が細長い小判型の形状Ｆ２４ａで、その中心Ｐ２４ａを通る長軸Ｘ２ｆは基準線Ｘ２１と角度β２１をもって交差する。また、端部２４ｂにおける断面は小判型の形状Ｆ２４ｂで、その中心Ｐ２４ｂを通る長軸Ｘ２ｇは基準線Ｘ２１と角度β２１をもって交差する。櫛歯２４は、その作用としては櫛歯２３（図１６ｂ参照）と略同一である。
【００８８】
図１７ａ、図１７ｂには、さらに別の形態の櫛歯２５を示す。櫛歯２５は、基部２５ａの断面が細長い卵形形状Ｆ２５ａで、その中心Ｐ２５ａを通る長軸Ｘ２ｈは基準線Ｘ２１と角度β２１をもって交差する。また、端部２５ｂにおける断面もやはり卵形形状Ｆ２５ｂで、その中心Ｐ２５ｂを通る長軸Ｘ２ｉは基準線Ｘ２１と角度β２１をもって交差する。櫛歯２５は、その作用としては櫛歯２３（図１６ｂ参照）と略同一である。
【００８９】
図１７ｃ、図１７ｄには、さらに別の形態の櫛歯２６を示す。櫛歯２６は、基部２６ａの断面が屈曲形状Ｆ２６ａで、その中心Ｐ２６ａを通る長軸Ｘ２ｊは基準線Ｘ２１と角度β２１をもって交差する。また、端部２６ｂにおける断面は小判型の形状Ｆ２６ｂで、その中心Ｐ２６ｂを通る長軸Ｘ２ｋは基準線Ｘ２１と角度β２１をもって交差する。櫛歯２６は、その作用としては櫛歯２３（図１６ｂ参照）と略同一である。
【００９０】
次に、櫛２の疎歯部２Ｒの構成を述べる。疎歯部２Ｒに植設されている櫛歯２２の構成は、図１３ｂに示すとおりである。実際には櫛歯２２は櫛２の一部として一体成形されているので、このように櫛歯２２を１本のみ取り外すことはできないが、図１３ｂは櫛歯２２を取り外すことができればこのように示されるという想定のもとに描いたものである。
【００９１】
櫛歯２２は、先述のように長手方向の軸線Ｙ２２が基準線Ｘ２１に対して、角度α２２（α２２＜９０°）をなすように傾斜させられており、その基部２２ａの端面（図１３ｂのＦ−Ｆ線の端面）は図１５に見るように、菱形形状Ｌ２２の２ヶ所の鋭角部分を丸めた略算盤玉様の扁平形状Ｆ２２ａであり、扁平形状Ｆ２２ａは直線と曲線の組合わせからなる。なお、Ｐ２２ａは、扁平形状Ｆ２２ａの中心である。
【００９２】
この扁平形状Ｆ２２ａの長軸をＸ２ｂとすると、長軸Ｘ２ｂと基準線Ｘ２１の関係は以下のとおりである。すなわち、櫛歯２２は、基部２２ａにおいて基準面Ｆ２に平行に切断した場合の断面形状の扁平形状Ｆ２２ａの長軸Ｘ２ｂが基準線Ｘ２１に対して角度β２２（β２２＜９０°）をなすように植設されている。また、櫛歯２２の端部２２ｂは、そのＧ−Ｇ線（図１３ｂ参照）の断面形状が図１３ｄに示すように円形に近い長円形状Ｆ２２ｂである。また、櫛歯２２の先端部２２ｃ（図１３ｂ参照）は略球面状に成形されている。
【００９３】
角度β２２は、実施例２においては、５５°〜８５°の範囲内の角度とされるが、図９〜図１１に示す櫛２においては、この角度β２２は６５°とされている。図１３ｄ、図１５にて、扁平形状Ｆ２２ａの中心Ｐ２２ａを通って基準線Ｘ２１に直交する直線Ｘ２ｃを設けると、長軸Ｘ２ｂと直線Ｘ２ｃの交差する角度γ２２は９０°から角度β２２を差し引いた値となる。したがって、図１３ｄ、図１５における扁平形状Ｆ２２ａは、図２８ｃの従来例の櫛Ｃｃの扁平形状ｆｃ３を、角度γ２２だけ底面視にて時計回りに回転させたものであるということもできる。
【００９４】
そして、図１３ｄ、図１５においては、角度γ２２は２５°（９０°−６５°）である。したがって、櫛歯２２は、図２５ｂの櫛Ｃｃの櫛歯ｃ２を、基準線ｘｃに対して７６°の角度をなすように傾斜させ、さらに基部にて２５°捻ったものであるという言い方もできる。なお、図９〜図１１に示す櫛２においては、櫛歯２１の基部２１ａの断面の扁平形状Ｆ２１ａの角度β２１も、櫛歯２２の基部２２ａの断面の扁平形状Ｆ２２ａの角度β２２も、共に６５°であるが、無論この両者の角度は異なっていても良い。
【００９５】
実施例２の櫛２は、前述のように所謂「カッティングコーム」と呼称される櫛に分類されるものであるので、疎歯部２Ｒにても、密歯部２Ｄと同様に隣接する櫛歯２２、２２の間隔Ｄ４が狭めに（図１３ａにてＤ４＜Ｄ５）設計されており、櫛歯２２の基部２２ａの捻り角度を余り大きくすることができない。すなわち、角度β２２の範囲を５５°〜８５°としているが、これは、角度γ２２にすると５°〜３５°の範囲となる。
【００９６】
この角度限定の理由は、密歯部２Ｄにおける角度限定の理由と同様であるが、疎歯部２Ｒにおける隣接する櫛歯２２、２２の間隔Ｄ４は、密歯部２Ｄにおける隣接する櫛歯２１、２１の間隔Ｄ３よりはやや大なので（Ｄ４＞Ｄ３）、角度β２２は、角度β２１よりはやや小とすることも可能である。あるいは、角度γ２２を角度γ２１よりやや大とすることも可能である。
【００９７】
図３４にて、実施例２の櫛２の作用について説明する。実施例１〜３の櫛１〜３は、その作用の本質的な点はすべて同一であるので、以下の実施例２の櫛２の作用の説明にて、実施例１の櫛１〜実施例３の櫛３の作用についての説明の代表とするものである。
【００９８】
図３４にて示すとおり、実施例２の櫛２の櫛歯２１は、施術者ＡＣ（図２９ａ参照）が、その最も楽な姿勢にて櫛２を把持して頭髪のパネルＰ中に櫛歯２１を進入させたとき、櫛歯２１の長手方向の長軸Ｙ２１が基準線Ｘ２１に対して角度α２１だけ傾斜させられているが故に、櫛歯２１の長手方向の長軸Ｙ２１がパネルＰの長手方向ａ２と平行になり、櫛歯２１の先端部２１ｃは極めて円滑にパネルＰ中に進入していく（方向ａ１）。すなわち、櫛歯２１にて、パネルＰは極めて円滑に梳られる。
【００９９】
しかるに、櫛歯２１がパネルＰに深く進入して、櫛歯２１の基部２１ａが毛髪ｈに当接した時点にて、毛髪ｈは図３４に示すような横方向の力ｆ３を受ける。この力ｆ３は、毛髪ｈを距離δ３だけ右方向にずらせるだけの力であって、距離δ３は、図３３の櫛Ｃの櫛歯Ｃ１が毛髪ｈを右方向にずらせる距離δ２の約３倍程度である。
【０１００】
すなわち、櫛２においては、櫛歯２１の基部２１ａにおいて、毛髪ｈに対してそれだけ摩擦力が強くなるということを表す。したがって、櫛２は、櫛Ｃに比べてより強くパネルＰを保持できるということになる。しかも、施術者ＡＣが、距離δ３が大きくなるように櫛２をわずかに捻ればこのパネルＰの保持力は大となり、距離δ３が小さくなるように櫛２をわずかに捻れば小となる。すなわち、施術者ＡＣは、櫛２のパネルＰの保持力を、自らの手元の感覚で、自由自在にコントロールできるということである。
【０１０１】
このようなコントロールが可能であるのは、施術者ＡＣが櫛２を把持したニュートラルな位置にて、予め距離δ３が生じるような構成が櫛歯２１に施されているからに他ならない。すなわち、図３３の櫛Ｃにおいては、櫛歯Ｃ１の構成から生じる距離δ２が余りにも小さいので、パネルＰに対する十分な保持力を確保するためには、施術者ＡＣは、櫛Ｃをかなり大きく捻らなければならない。そして、この動作は、施術者ＡＣに負担感を与え、この動作を再三繰り返すことにより疲労感となる。
【０１０２】
図３３の距離δ２と図３４の距離δ３は、図面上から見ればごく僅かなものに見えるかもしれないが、実際に櫛２あるいは櫛Ｃを使用する施術者ＡＣの手の感覚においては、距離δ２と距離δ３の凡そ３倍の違いが、大きな使用感の差となって現れる。
【０１０３】
図３４の櫛２においては、前述のように、櫛歯２１の基部２１ａの断面の扁平形状Ｆ２１ａの長軸Ｘ２ａと基準線Ｘ２１の交差する角度β２１を６５°としているが（図１２ｄ参照）、この角度β２１を、下限値の５５°を下回る角度にすると、距離δ３（図３４参照）が大きくなりすぎて、施術者ＡＣの手には、パネルＰを円滑に梳る作業において困難を感じるようになる。これは、別の言い方をすれば、図１２ａの角度γ２１が上限値の３５°を上回った場合に相当する。
【０１０４】
すなわち、櫛２における角度β２１の５５°〜８５°、あるいは角度γ２１の５°〜３５°という数値限定は、施術者ＡＣの使用感覚として、梳り易く、パネルＰの保持も楽にできるという範囲を求めたものであって、実際に、多くの理美容師において、支持を受けた数値範囲である。
【０１０５】
またもう一つ、櫛２が多くの理美容師において支持を受けている理由は、櫛２の全体形状が、図２５ｂに示す従来からのカッティングコーム（櫛Ｃｃ）の形状と、大きくは異ならないという点にある。すなわち、全体としての使用感は図２５ｂの櫛Ｃｃと略同一でありながら、パネルＰに進入させたときに極めて円滑であり、パネルＰを梳る作業が楽で、しかも、パネルＰを櫛２にて持上げたときに、パネルＰがきちんと保持されるという諸点が相まって、多くの理美容師に支持を受けたものである。
【０１０６】
図３５〜図３６は、本発明の実施例２の櫛２の作用をまた別の角度から説明したものである。図３５ａは、本発明の実施例２の櫛２の密歯部２Ｄの櫛歯２１の基部２１ａにおいて、頭髪のパネルＰを構成する毛髪ｈ、ｈ、……がどのような状態を取るかを模式的に示したものであるが、ここに見るとおり、基準線Ｘ２１に対して基部２１ａが角度β２１を有するので、すなわち基準線Ｘ２１に直交する直線Ｘ２ｃに対して基部２１ａが角度γ２１を有するので、毛髪ｈ、ｈ、……は隣接する基部２１ａ、２１ａの間を通過する際に収束屈曲されることになり、この部分での摩擦力が増大する。これは、基部２１ａにて頭髪のパネルＰを保持する作用が大きいことを意味する。
【０１０７】
しかるに、図３５ｂに示す櫛Ｃの場合には、基線ＸＣに対して基部Ｃ１ａが直交しているので、毛髪ｈ、ｈ、……は隣接する基部Ｃ１ａ、Ｃ１ａの間を通過する際にも、若干の収束を受けるのみで、殆ど抵抗感なく通過する。これは、基部Ｃａにて頭髪のパネルＰを保持する作用が小さいことを意味する。
【０１０８】
次に、図３６ａでは、本発明の実施例２の櫛２の密歯部２Ｄの櫛歯２１の端部２１ｂにおいて、頭髪のパネルＰを構成する毛髪ｈ、ｈ、……が端部２１ｂを通過する際の状態を示すが、ここに見るとおり、端部２１ｂは略円形状なので、毛髪ｈ、ｈ、……は若干の収束を受けるのみで、殆ど抵抗感なく通過する。これは、端部２１ｂにては、頭髪のパネルＰを保持する作用が小さいことを意味する。すなわち、端部２１ｂにおいては、櫛２は、頭髪のパネルＰに対して、図３６ｂに示す櫛Ｃの端部Ｃ１ｂと略同様の作用を有しているということである。すなわち、頭髪のパネルＰを保持する作用が小さい分、円滑に梳る作用は大きいということになる。
【０１０９】
次に、図３７ａに示す本発明の実施例２の櫛２の密歯部２Ｄの櫛歯２１の中間部２１ｄ（図１２ｂ参照）において、頭髪のパネルＰを構成する毛髪ｈ、ｈ、……と中間部２１ｄの関連を見てみると、中間部２１ｄにおいては、中間部２１ｄが余り抵抗とならず、図３６ａに示す端部２１ｂの状態と略変わりがないことがわかる。すなわち、櫛歯２１の中間部２１ｄにおいては、円滑に梳る作用はまら殆ど損なわれていない。この状態は、図３７ｂの櫛Ｃの中間部Ｃ１ｄの状態と比較しても、余り変わりがないことがわかる。すなわち、櫛２においては、櫛歯２１の中間部ではパネルＰを円滑に梳る作用は依然として大きく、その分、パネルＰを保持する作用はまだ大きくはなっていない。
【０１１０】
しかるに、櫛２がパネルＰ内に深く進入し、パネルＰを構成する毛髪ｈ、ｈ、……が櫛歯２１の中間部２１ｄから櫛歯２１の基部２１ａ（図３５ａ）に接触する割合が増加するにしたがって、毛髪ｈ、ｈ、……の屈曲と収束は大きくなり、ついに図３５ａに示す状態となる。したがって、櫛２においては、櫛歯２１の中間部２１ｄから端部２１ｂにかけての部分（中間から先端部）を使うようにして梳れば、櫛Ｃと殆ど変わりなく円滑に梳る作用を発揮させることができる。また一旦、パネルＰを保持することが必要になれば、櫛２を毛髪のパネルＰ内に深く進入させ、毛髪ｈ、ｈ、……のかなりの部分が櫛歯２１の基部２１ａに接触するようにすれば、パネルＰを簡単に保持し、また持上げることも可能となる。
【０１１１】
このように、実施例２の櫛２は、施術者ＡＣの櫛２に対する扱い方、すなわち、櫛２をパネルＰに進入させる深度を施術者ＡＣが制御することによって、梳る作用を優先させたり、あるいはパネルＰを保持する作用を優先させたりすることが自在に可能となる。そして、このような制御は、理美容師の初心者においても、少し練習すればすぐにできるようになる技術である。
【０１１２】
また、櫛２をパネルＰに深く進入させている状態においても、図３８のように、櫛２をパネルＰに対して若干傾斜させることにより、櫛歯２１の基部２１ａがパネルＰに対して平行状態に近くなるので、パネルＰを保持する作用を弱め、逆に梳る作用を強めることが可能である。たとえば、施術者ＡＣが櫛２をパネルＰに深く進入させて櫛２でパネルＰを保持している状態で、保持状態の解除が必要となれば、施術者ＡＣは櫛２を図３８に見るように基部２１ａがパネルＰに対して平行に近くなるように櫛２を若干傾斜させれば良い。そして、この操作も、理美容師の初心者でも簡単に学習することができる。また、図３８とは逆方向に櫛２を傾斜させれば、基部２１ａでパネルＰを保持する作用を、図３５ａに示す状態からさらに強めることも可能である。
【０１１３】
上記より、櫛２の作用の特徴をまとめてみると、次のとおりである。すなわち、櫛歯２１の先端部２１ｃがパネルＰに進入する際には、従来の櫛Ｃｃ（図３１ａ参照）に比較するとはるかに楽に進入させることができ、また櫛歯２１の中間部２１ｄでパネルＰを梳る際にも、従来の櫛Ｃｃに比較するとはるかに円滑に作業ができる。この点は、図３３の櫛Ｃと略同様の使い勝手の良さを感じることができる。
【０１１４】
しかも、櫛歯２１の基部２１ａにてパネルＰを保持し、あるいは持上げようとする際には、パネルＰが基部２１ａにてきちんと保持され、毛髪ｈ、ｈ……が櫛歯２１の間から脱落することがない。この点は、図３３の櫛Ｃとの大きな相違点である。すなわち、図３３の櫛Ｃにては櫛歯Ｃ１の基部Ｃ１ａにて毛髪ｈ、ｈ……を保持することができず、毛髪ｈ、ｈ……は櫛歯Ｃ１の間から脱落して、結局パネルＰの保持が困難となったが、櫛２においては、櫛歯２１の基部２１ａにて摩擦力が大きく、毛髪ｈ、ｈ……の脱落を見ることなく、パネルＰの保持が略完全に行えるものである。
【０１１５】
さらに、実施例２の櫛２においては、櫛２をパネルＰに進入させる深さを制御することによって、梳るという作用とパネルＰを保持するという作用を自在にコントロールすることができる。また、パネルＰに深くまで進入させられている櫛２を若干傾斜させることにより、パネルＰを保持する作用の大きさを自在にコントロールすることができる。このように、使用者の僅かの制御によって、梳るという作用とパネルＰを保持するという作用を自在にコントロールできる点も、櫛２の大きな特徴であるといえる。
【実施例３】
【０１１６】
本発明の実施例３の櫛３は、櫛歯３１、３２の基部３１ａ、３２ａの捻り角度を実施例２の櫛２よりも若干緩慢とした例である。図１８〜図２０において、櫛３の全体構成を示す。櫛３は、全体が１枚の薄い板状体であり、その前部は複数の櫛歯３１、３１、……が比較的密に植設された密歯部３Ｄとなり、後部は複数の櫛歯３２、３２、……が比較的疎に植設された疎歯部３Ｒとなっている。
【０１１７】
図１８ａ、図１９ａに見るように、密歯部３Ｄに植設された櫛歯３１は、その長手方向の軸線Ｙ３１が、基準線Ｘ３１に対して、角度α３１（α３１＜９０°）をなすように傾斜させられている。また、図１８ａ、図１９ｂに見るように、疎歯部３Ｒに植設された櫛歯３２は、その長手方向の軸線Ｙ３２が、基準線Ｘ３１に対して、角度α３２（α３２＜９０°）をなすように傾斜させられている。
【０１１８】
密歯部３Ｄにおいては櫛歯３１の上端が前方に傾斜するように構成され、これと対照的に疎歯部３Ｒにおいては櫛歯３２の上端が後方に傾斜するように構成されているので、密歯部３Ｄと疎歯部３Ｒの中間には、逆二等辺三角形状の把持部３Ｈが形成されている。なお、基準線Ｘ３１とは、実施例１、実施例２同様、櫛３の長手方向に平行な任意の直線をいう。また、これも実施例１、実施例２同様に、基準線Ｘ３１に平行で櫛３の全体形状の板状体に直交する平面を基準面Ｆ３とする。
【０１１９】
角度α３１、α３２は、解決手段の項にて述べたように、６０°〜８５°の範囲内のいかなる数値をもとることができるが、図１８ａに示す櫛３においては、角度α３１、角度α３２を共に７６°としている。この理由は、実施例２の櫛２と同様である。
【０１２０】
櫛３の密歯部３Ｄにおいて、隣接する櫛歯３１、３１間の間隔Ｄ６は、図２１ａに見るように、櫛３の全体形状の板状体の最大の厚さＤ８より小となり、疎歯部３Ｒにおいても、隣接する櫛歯３２、３２間の間隔Ｄ７は、図２２ａに見るように、櫛３の全体形状の板状体の最大の厚さＤ８より小となっている。この理由も、実施例２の櫛２と同様である。
【０１２１】
図２１ｂに櫛歯３１の構成を示す。実際には櫛歯３１は櫛１の一部として一体成形されているので、このように櫛歯３１を１本のみ取り外すことはできないが、図２１ｂは櫛歯３１を取り外すことができればこのように示されるという想定のもとに描いたものである。
【０１２２】
櫛歯３１は、先述のように長手方向の軸線Ｙ３１が基準線Ｘ３１に対して、角度α３１（α３１＜９０°）をなすように傾斜させられており、その基部３１ａの端面（図２１ｂのＨ−Ｈ線の端面）は図２３に見るように、菱形形状Ｌ３１の２ヶ所の鋭角部分を丸めた略算盤玉様の扁平形状Ｆ３１ａであり、扁平形状Ｆ３１ａは直線と曲線の組合わせからなる。なお、Ｐ３１ａは、扁平形状Ｆ３１ａの中心である。
【０１２３】
この扁平形状Ｆ３１ａの長軸をＸ３ａとすると、長軸Ｘ３ａと基準線Ｘ３１の関係は以下のとおりである。すなわち、櫛歯３１は、基部３１ａにおいて基準面Ｆ３に平行に切断した場合の断面形状の扁平形状Ｆ３１ａの長軸Ｘ３ａが基準線Ｘ３１に対して角度β３１（β３１＜９０°）をなすように植設されている。また、櫛歯３１の端部３１ｂは、そのＩ−Ｉ線（図２１ｂ参照）の端面形状が図２１ｄに示すように円形に近い長円形状Ｆ３１ｂである。また、櫛歯３１の先端部３１ｃは略球面状に成形されている（図２１ｂ参照）。
【０１２４】
角度β３１は、実施例３においては、５５°〜８５°の範囲内の角度とされるが、図１８〜図２０に示す櫛３においては、この角度β３１は７５°とされている。図２１ｄ、図２３にて、扁平形状Ｆ３１ａの中心Ｐ３１ａを通って基準線Ｘ３１に直交する直線Ｘ３ｃを設けると、長軸Ｘ３ａと直線Ｘ３ｃの交差する角度γ３１は９０°から角度β３１を差し引いた値となる。
【０１２５】
したがって、図２１ｄ、図２３における扁平形状Ｆ３１ａは、図２７ｃの従来例の櫛Ｃｃの扁平形状ｆｃ１を、角度γ３１だけ底面視にて時計回りに回転させたものであるということもできる。そして、図２１ｄ、図２３においては、角度γ３１は１５°（９０°−７５°）である。したがって、櫛歯３１は、図２５ｂの櫛Ｃｃの櫛歯ｃ１を、基準線ｘｃに対して７６°の角度をなすように傾斜させ、さらに基部にて１５°捻ったものであるという言い方もできる。
【０１２６】
実施例３の櫛３は、前述のように所謂「カッティングコーム」と呼称される櫛に分類されるものであるので、密歯部３Ｄにて隣接する櫛歯３１、３１の間隔が狭めに（図２１ａにてＤ６＜Ｄ８）設計されており、櫛歯３１の基部３１ａの捻り角度を余り大きくすることができない。この理由は、実施例２の櫛２の場合と同様である。
【０１２７】
次に、櫛３の疎歯部３Ｒの構成を述べる。疎歯部３Ｒに植設されている櫛歯３２の構成は、図２２ｂに示すとおりである。実際には櫛歯３２は櫛３の一部として一体成形されているので、このように櫛歯３２を１本のみ取り外すことはできないが、図２２ｂは櫛歯３２を取り外すことができればこのように示されるという想定のもとに描いたものである。
【０１２８】
櫛歯３２は、先述のように長手方向の軸線Ｙ３２が基準線Ｘ３１に対して、角度α３２（α３２＜９０°）をなすように傾斜させられており、その基部３２ａの端面（図２２ｂのＪ−Ｊ線の端面）は図２４に見るように、菱形形状Ｌ３２の２ヶ所の鋭角部分を丸めた略算盤玉様の扁平形状Ｆ３２ａであり、扁平形状Ｆ３２ａは直線と曲線の組合わせからなる。なお、Ｐ３２ａは、扁平形状Ｆ３２ａの中心である。
【０１２９】
この扁平形状Ｆ３２ａの長軸をＸ３ｂとすると、長軸Ｘ３ｂと基準線Ｘ３１の関係は以下のとおりである。すなわち、櫛歯３２は、基部３２ａにおいて基準面Ｆ３に平行に切断した場合の断面形状の扁平形状Ｆ３２ａの長軸Ｘ３ｂが基準線Ｘ３１に対して角度β３２（β３２＜９０°）をなすように植設されている。また、櫛歯３２の端部３２ｂは、そのＫ−Ｋ線（図２２ｂ参照）の端面形状が図２２ｄに示すように円形に近い長円形状Ｆ３２ｂである。また、櫛歯３２の先端部３２ｃは略球面状に成形されている（図２２ｂ参照）。
【０１３０】
角度β３２は、実施例３においては、５５°〜８５°の範囲内の角度とされるが、図１８〜図２０に示す櫛３においては、この角度β３２は７５°とされている。図２２ｄ、図２４にて、扁平形状Ｆ３２ａの中心Ｐ３２を通って基準線Ｘ３１に直交する直線Ｘ３ｃを設けると、長軸Ｘ３ｂと直線Ｘ３ｃの交差する角度γ３２は９０°から角度β３２を差し引いた値となる。したがって、図２２ｄ、図２４における扁平形状Ｆ３２ａは、図２８ｃの従来例の櫛Ｃｃの扁平形状ｆｃ３を、角度γ３２だけ底面視にて時計回りに回転させたものであるということもできる。
【０１３１】
そして、図２２ｄ、図２４においては、角度γ３２は１５°（９０°−７５°）である。したがって、櫛歯３２は、図２５ｂの櫛Ｃｃの櫛歯ｃ２を、基準線ｘｃに対して７６°の角度をなすように傾斜させ、さらに基部にて１５°捻ったものであるという言い方もできる。なお、図１８〜図２０に示す櫛３においては、櫛歯３１の基部３１ａの断面の扁平形状Ｆ３１ａの角度β３１も、櫛歯３２の基部３２ａの断面の扁平形状Ｆ３２ａの角度β３２も、共に７５°であるが、無論この両者の角度は異なっていても良い。
【０１３２】
実施例３の櫛３は、前述のように所謂「カッティングコーム」と呼称される櫛に分類されるものであるので、疎歯部３Ｒにても、密歯部３Ｄと同様に隣接する櫛歯３２、３２の間隔Ｄ７が狭めに（図２２ａにおいてＤ７＜Ｄ８）設計されており、櫛歯３２の基部３２ａの捻り角度を余り大きくすることができない。すなわち、角度β３２の範囲を５５°〜８５°としているが、これは、角度γ３２にすると５°〜３５°の範囲となる。
【０１３３】
この角度限定の理由は、密歯部３Ｄにおける角度限定の理由と同様であるが、疎歯部３Ｒにおける隣接する櫛歯３２、３２の間隔Ｄ７は、密歯部３Ｄにおける隣接する櫛歯３１、３１の間隔Ｄ６よりはやや大なので（Ｄ７＞Ｄ６）、角度β３２は、角度β３１よりはやや小とすることも可能である。あるいは、角度γ３２を角度γ３１よりやや大とすることも可能である。
【０１３４】
実施例３の櫛３の作用は、実施例２の櫛２の作用と略同様であるが、櫛歯３１の基部３１ａにおいて、角度β３１が角度β２１より大、つまり、角度γ３１が角度γ２１より小であり、かつ、櫛歯３２の基部３２ａにおいて、角度β３２が角度β２２より大、つまり、角度γ３２が角度γ２２より小である。すなわち、実施例２の櫛２に比べると、より図３１ａの櫛Ｃに近い構成である。
【０１３５】
したがって、密歯部３Ｄにおいても疎歯部３Ｒにおいても、頭髪のパネルＰの保持力は、実施例２の櫛２に比較すると若干弱めに構成してある。その分、基部３１ａ、３２ａにおいても、実施例２の櫛２に比較するとさらに円滑にパネルＰを梳ることが可能である。
【産業上の利用可能性】
【０１３６】
本発明においては、特に専門の理美容師の使用を前提とした場合に、櫛の有する「梳る」作用と、「パネルを保持する」作用という、一見相反する作用を１本の櫛の中に融合させ、専門の理美容師において、今までにない使い勝手を有する櫛を提供せんと試みたものである。
【０１３７】
専門の理美容師においては、特に使用する道具の使い勝手に関して神経質なまでにこだわりを持つ人が多く、そういう人にとっては、従来の道具からかけ離れたデザインや機能を有する道具は、いくら理論上はすばらしいものであってもまったく実際の使用には耐えないものとして棄却されてしまう。
【０１３８】
しかるに、本発明の櫛は、これまで理美容師が使い慣れてきた櫛のデザインや機能を大幅に変えることなく、しかも理美容師が、従来の櫛に対して抱いていた不満を根本的に解決するものとして提供されるものである。したがって、特に理美容業界において、産業上洵に有益な発明として、今後永く使用され続けるだけの特性を有するものであると考えている。
【０１３９】
なお、図３９aに示す頭髪用の櫛１０１、図３９ｂに示す頭髪用の櫛１０２、図４０aに示す頭髪用の櫛２０１、図４０ｂに示す頭髪用の櫛２０２も、すべて本発明の範疇に入るものである。
【０１４０】
すなわち、図１ａに示す実施例１の頭髪用の櫛１においては櫛歯１１の長手方向の軸線Ｙ１１が基準線Ｘ１１に対してなす角度のうち鋭角の方の角度α１１が軸線Ｙ１１の前方に生じていたのであるが、図３９ａに示す頭髪用の櫛１０１においては、櫛歯１１１の長手方向の軸線Ｙ１１１が基準線Ｘ１１１に対してなす角度のうち鋭角の方の角度α１１１が軸線Ｙ１１１の後方に生じている点のみが実施例１の頭髪用の櫛１と異なる。なお、図３９aに示す頭髪用の櫛１０１においては、角度α１１１＝７０°である。
【０１４１】
図３９ｂに示す頭髪用の櫛１０２においても、櫛歯１１２の長手方向の軸線Ｙ１１２が基準線Ｘ１１２に対してなす角度のうち鋭角の方の角度α１１２が軸線Ｙ１１２の後方に生じている点のみが、図１ａに示す実施例１の頭髪用の櫛１と異なる。なお、図３９ｂに示す頭髪用の櫛１０２においては、角度α１１２＝６０°である。
【０１４２】
図４０ａに示す頭髪用の櫛２０１においても、密歯部２０１Ｄの櫛歯２１１の長手方向の軸線Ｙ２１１が基準線Ｘ２１１に対してなす角度のうち鋭角の方の角度α２１１が櫛２０１の中心寄りに生じ、疎歯部２０１Ｒの櫛歯２１２の長手方向の軸線Ｙ２１２が基準線Ｘ２１１に対してなす角度のうち鋭角の方の角度α２１２が櫛２０１の中心寄りに生じている点のみが、図９ｂに示す実施例２の頭髪用の櫛２と異なる。すなわち、実施例２の頭髪用の櫛２においては、密歯部２Ｄの櫛歯２１の長手方向の軸線Ｙ２１が基準線Ｘ２１に対してなす角度のうち鋭角の方の角度α２１が櫛２の外側寄りに生じ、疎歯部２Ｒの櫛歯２２の長手方向の軸線Ｙ２２が基準線Ｘ２１に対してなす角度のうち鋭角の方の角度α２２が櫛２の外側寄りに生じている。なお、図４０ａに示す頭髪用の櫛２０１においては、角度α２１１＝７６°、角度α２１２＝７６°である。
【０１４３】
図４０ｂに示す頭髪用の櫛２０２においても、密歯部２０２Ｄの櫛歯２２１の長手方向の軸線Ｙ２２１が基準線Ｘ２２１に対してなす角度のうち鋭角の方の角度α２２１が櫛２０２の中心寄りに生じ、疎歯部２０２Ｒの櫛歯２２２の長手方向の軸線Ｙ２２２が基準線Ｘ２２１に対してなす角度のうち鋭角の方の角度α２２２が櫛２０２の中心寄りに生じている点のみが、図９ｂに示す実施例２の頭髪用の櫛２と異なる。なお、図４０ｂに示す頭髪用の櫛２０２においては、角度α２２１＝６８°、角度α２２２＝６８°である。
【図面の簡単な説明】
【０１４４】
【図１】（ａ）本発明の実施例１の頭髪用の櫛の右側面図である。（ｂ）本発明の実施例１の頭髪用の櫛の左側面図である。
【図２】（ａ）本発明の実施例１の頭髪用の櫛の平面図である。（ｂ）本発明の実施例１の頭髪用の櫛の底面図である。
【図３】（ａ）本発明の実施例１の頭髪用の櫛の右方前方からみた外観斜視図である。（ｂ）本発明の実施例１の頭髪用の櫛の左方前方からみた外観斜視図である。
【図４】（ａ）図１のＡ−Ａ線拡大断面図である。（ｂ）本発明の実施例１の頭髪用の櫛の櫛歯の１本の拡大右側面図である。（ｃ）本発明の実施例１の頭髪用の櫛の櫛歯の１本の拡大底面図である。（ｄ）図４ｂのＢ−Ｂ線拡大端面図及び図４ｂのＣ−Ｃ線拡大端面図である。
【図５】（ａ）本発明の実施例１の頭髪用の櫛の櫛歯の基部の端面の拡大図である。（ｂ）比較例の頭髪用の櫛の櫛歯の基部の端面の拡大図である。
【図６】（ａ）本発明の実施例１の頭髪用の櫛の櫛歯の別の形態の櫛歯の１本の拡大底面図である。（ｂ）図６ａの櫛歯の基部と端部の端面図である。（ｃ）本発明の実施例１の頭髪用の櫛の櫛歯のさらに別の形態の櫛歯の１本の拡大底面図である。（ｄ）図６ｃの櫛歯の基部と端部の端面図である。
【図７】（ａ）本発明の実施例１の頭髪用の櫛の櫛歯のさらに別の形態の櫛歯の１本の拡大底面図である。（ｂ）図７ａの櫛歯の基部と端部の端面図である。（ｃ）本発明の実施例１の頭髪用の櫛の櫛歯のさらに別の形態の櫛歯の１本の拡大底面図である。（ｄ）図７ｃの櫛歯の基部と端部の端面図である。
【図８】（ａ）本発明の実施例１の頭髪用の櫛の櫛歯のさらに別の形態の櫛歯の１本の拡大底面図である。（ｂ）図８ａの櫛歯の基部と端部の端面図である。（ｃ）本発明の実施例１の頭髪用の櫛の櫛歯のさらに別の形態の櫛歯の１本の拡大底面図である。（ｄ）図８ｃの櫛歯の基部と端部の端面図である。
【図９】（ａ）本発明の実施例２の頭髪用の櫛の右側面図である。    （ｂ）本発明の実施例２の頭髪用の櫛の左側面図である。
【図１０】（ａ）図９ａの実施例２の頭髪用の櫛の密歯部の拡大図である。（ｂ）図９ａの実施例２の頭髪用の櫛の疎歯部の拡大図である。
【図１１】（ａ）本発明の実施例２の頭髪用の櫛の密歯部の拡大底面図である。    （ｂ）本発明の実施例２の頭髪用の櫛の疎歯部の拡大底面図である。
【図１２】（ａ）図１１ａの部分の拡大図である。    （ｂ）本発明の実施例２の頭髪用の櫛の密歯部の櫛歯の１本の拡大右側面図である。    （ｃ）本発明の実施例２の頭髪用の櫛の密歯部の櫛歯の１本の拡大底面図である。    （ｄ）本発明の実施例２の頭髪用の櫛の密歯部の櫛歯の１本の基部と端部の拡大端面図である。
【図１３】（ａ）図１１ｂの部分の拡大図である。    （ｂ）本発明の実施例２の頭髪用の櫛の疎歯部の櫛歯の１本の拡大右側面図である。    （ｃ）本発明の実施例２の頭髪用の櫛の疎歯部の櫛歯の１本の拡大底面図である。    （ｄ）本発明の実施例２の頭髪用の櫛の疎歯部の櫛歯の１本の基部と端部の拡大端面図である。
【図１４】本発明の実施例２の頭髪用の櫛の密歯部の櫛歯の基部の端面の拡大図である。
【図１５】本発明の実施例２の頭髪用の櫛の疎歯部の櫛歯の基部の端面の拡大図である。
【図１６】（ａ）本発明の実施例２の頭髪用の櫛の櫛歯の別の形態の櫛歯の１本の拡大底面図である。（ｂ）図１６ａの櫛歯の基部と端部の端面図である。（ｃ）本発明の実施例２の頭髪用の櫛の櫛歯のさらに別の形態の櫛歯の１本の拡大底面図である。（ｄ）図１６ｃの櫛歯の基部と端部の端面図である。
【図１７】（ａ）本発明の実施例２の頭髪用の櫛の櫛歯のさらに別の形態の櫛歯の１本の拡大底面図である。（ｂ）図１７ａの櫛歯の基部と端部の端面図である。（ｃ）本発明の実施例２の頭髪用の櫛の櫛歯のさらに別の形態の櫛歯の１本の拡大底面図である。（ｄ）図１７ｃの櫛歯の基部と端部の端面図である。
【図１８】（ａ）本発明の実施例３の頭髪用の櫛の右側面図である。    （ｂ）本発明の実施例３の頭髪用の櫛の左側面図である。
【図１９】（ａ）図１８ａの密歯部の拡大図である。（ｂ）図１８ａの疎歯部の拡大図である。
【図２０】（ａ）本発明の実施例３の頭髪用の櫛の密歯部の拡大底面図である。    （ｂ）本発明の実施例３の頭髪用の櫛の疎歯部の拡大底面図である。
【図２１】（ａ）図２０ａの部分の拡大図である。    （ｂ）本発明の実施例３の頭髪用の櫛の密歯部の櫛歯の１本の拡大右側面図である。    （ｃ）本発明の実施例３の頭髪用の櫛の密歯部の櫛歯の１本の拡大底面図である。    （ｄ）本発明の実施例３の頭髪用の櫛の密歯部の櫛歯の１本の基部と端部の端面図である。
【図２２】（ａ）図２０ｂの部分の拡大図である。    （ｂ）本発明の実施例３の頭髪用の櫛の疎歯部の櫛歯の１本の右側面図である。    （ｃ）本発明の実施例３の頭髪用の櫛の疎歯部の櫛歯の１本の拡大底面図である。    （ｄ）本発明の実施例３の頭髪用の櫛の疎歯部の櫛歯の１本の基部と端部の拡大端面図である。
【図２３】本発明の実施例３の頭髪用の櫛の密歯部の櫛歯の基部の端面の拡大図である。
【図２４】本発明の実施例３の頭髪用の櫛の疎歯部の櫛歯の基部の端面の拡大図である。
【図２５】（ａ）従来の頭髪用の櫛の一例の右側面図である。    （ｂ）従来の頭髪用の櫛の別の一例の右側面図である。
【図２６】（ａ）図２５ａのａ−ａ線拡大断面図である。    （ｂ）図２５ａの頭髪用の櫛の櫛歯の１本を水平方向から見た拡大斜視図である。    （ｃ）図２６ｂのｂ−ｂ線拡大断面図である。    （ｄ）図２６ｂのｃ−ｃ線拡大断面図である。
【図２７】（ａ）図２５ｂの頭髪用の櫛の密歯部の拡大底面図である。    （ｂ）図２５ｂの頭髪用の櫛の密歯部の櫛歯の１本を水平方向から見た拡大斜視図である。    （ｃ）図２７ｂのｄ−ｄ線拡大断面図である。    （ｄ）図２７ｂのｅ−ｅ線拡大断面図である。
【図２８】（ａ）図２５ｂの頭髪用の櫛の疎歯部の拡大底面図である。    （ｂ）図２５ｂの頭髪用の櫛の疎歯部の櫛歯の１本を水平方向から見た拡大斜視図である。    （ｃ）図２８ｂのｆ−ｆ線拡大断面図である。    （ｄ）図２８ｂのｇ−ｇ線拡大断面図である。
【図２９】（ａ）従来の頭髪用の櫛の作用を説明するための説明図である。    （ｂ）従来の頭髪用の櫛の作用を説明するための説明図である。
【図３０】（ａ）図２５ｂの従来の頭髪用の櫛の作用を説明するための説明図である。    （ｂ）図２５ｂの従来の頭髪用の櫛の作用を説明するための説明図である。
【図３１】（ａ）従来の頭髪用の櫛の別の一例の右側面図である。    （ｂ）図３１ａの従来の頭髪用の櫛の作用を説明するための説明図である。
【図３２】図２５ｂの従来の頭髪用の櫛の作用を説明するための説明図である。
【図３３】図３１ａの従来の頭髪用の櫛の作用を説明するための説明図である。
【図３４】本発明の実施例２の櫛の作用を説明するための説明図である。
【図３５】（ａ）本発明の実施例２の櫛の作用を説明するための説明図である。    （ｂ）図３１ａの従来の頭髪用の櫛の作用を説明するための説明図である。
【図３６】（ａ）本発明の実施例２の櫛の作用を説明するための説明図である。    （ｂ）図３１ａの従来の頭髪用の櫛の作用を説明するための説明図である。
【図３７】（ａ）本発明の実施例２の櫛の作用を説明するための説明図である。    （ｂ）図３１ａの従来の頭髪用の櫛の作用を説明するための説明図である。
【図３８】本発明の実施例２の櫛の作用を説明するための説明図である。
【図３９】（ａ）本発明の実施例１の櫛の別の形態の頭髪用の櫛の右側面図である。    （ｂ）本発明の実施例１の櫛のさらに別の形態の頭髪用の櫛の右側面図である。
【図４０】（ａ）本発明の実施例２の櫛の別の形態の頭髪用の櫛の左側面図である。    （ｂ）本発明の実施例２の櫛のさらに別の形態の頭髪用の櫛の左側面図である。
【符号の説明】
【０１４５】
１          櫛
１０１      櫛
１０２      櫛
１１        櫛歯
１１１      櫛歯
１１２      櫛歯
１１ａ      基部
１１ｂ      端部
１１ｃ      先端部
１２        櫛歯
１２ａ      基部
１２ｂ      端部
１３        櫛歯
１３ａ      基部
１３ｂ      端部
１４        櫛歯
１４ａ      基部
１４ｂ      端部
１５        櫛歯
１５ａ      基部
１５ｂ      端部
１６        櫛歯
１６ａ      基部
１６ｂ      端部
２          櫛
２０１      櫛
２０２      櫛
２１        櫛歯
２１１      櫛歯
２１２      櫛歯
２１ａ      基部
２１ｂ      端部
２１ｃ      先端部
２１ｄ      中間部
２２        櫛歯
２２１      櫛歯
２２２      櫛歯
２２ａ      基部
２２ｂ      端部
２２ｃ      先端部分
２３        櫛歯
２３ａ      基部
２３ｂ      端部
２４        櫛歯
２４ａ      基部
２４ｂ      端部
２５        櫛歯
２５ａ      基部
２５ｂ      端部
２６        櫛歯
２６ａ      基部
２６ｂ      端部
２Ｄ        密歯部
２０１Ｄ    密歯部
２０２Ｄ    密歯部
２Ｈ        把持部
２Ｒ        疎歯部
２０１Ｒ    疎歯部
２０２Ｒ    疎歯部
３          櫛
３Ｄ        密歯部
３Ｈ        把持部
３Ｒ        疎歯部
３１        櫛歯
３１ａ      基部
３１ｂ      端部
３１ｃ      先端部
３２        櫛歯
３２ａ      基部
３２ｂ      端部
３２ｃ      先端部
Ａ          作用部
ＡＣ        施術者
Ｃｃ        櫛
Ｃ          櫛
Ｃ１        櫛歯
Ｃ１ａ      基部
Ｃ１ｂ      端部
Ｃ１ｃ      先端部
Ｃ１ｄ      中間部
ＣＤ        密歯部
ＣＲ        疎歯部
Ｄ１        間隔
Ｄ２        厚さ
Ｄ３        間隔
Ｄ４        間隔
Ｄ５        厚さ
Ｄ６        間隔
Ｄ７        間隔
Ｄ８        厚さ
Ｆ１        基準面
Ｆ２        基準面
Ｆ３        基準面
Ｆ１１ａ    扁平形状
Ｆ１１ｂ    長円形状
Ｆ１１ｃ    扁平形状
Ｆ１１ｄ    扁平形状
Ｆ１１ｅ    長円形状
Ｆ１１ｆ    長円形状
Ｆ１１ｇ    長円形状
Ｆ１１ｈ    小判型の形状
Ｆ１１ｉ    小判型の形状
Ｆ１１ｊ    卵形形状
Ｆ１１ｋ    卵形形状
Ｆ１１ｌ    ソラマメ型形状
Ｆ１１ｍ    ソラマメ型形状
Ｆ２１ａ    扁平形状
Ｆ２１ｂ    長円形状
Ｆ２２ａ    扁平形状
Ｆ２３ａ    扁平形状
Ｆ２３ｂ    長円形状
Ｆ２４ａ    小判型の形状
Ｆ２４ｂ    小判型の形状
Ｆ２５ａ    卵形形状
Ｆ２５ｂ    卵形形状
Ｆ２６ａ    屈曲形状
Ｆ２６ｂ    小判型の形状
Ｆ３        基準面
Ｆ３１ａ    扁平形状
Ｆ３１ｂ    長円形状
Ｆ３２ａ    扁平形状
Ｆ３２ｂ    長円形状
Ｇ          柄部
Ｊｃ        櫛
Ｌ１        菱形形状
Ｌ２１      菱形形状
Ｌ２２      菱形形状
Ｌ３１      菱形形状
Ｌ３２      菱形形状
Ｐ          パネル
Ｐ１１ａ    中心
Ｐ１１ｂ    中心
Ｐ１１ｃ    中心
Ｐ１１ｄ    中心
Ｐ１１ｅ    中心
Ｐ１１ｆ    中心
Ｐ１１ｇ    中心
Ｐ１１ｈ    中心
Ｐ１１ｉ    中心
Ｐ１１ｊ    中心
Ｐ１１ｋ    中心
Ｐ１１ｌ    中心
Ｐ１１ｍ    中心
Ｐ２１ａ    中心
Ｐ２１ｂ    中心
Ｐ２２ａ    中心
Ｐ２２ｂ    中心
Ｐ２３ａ    中心
Ｐ２３ｂ    中心
Ｐ２４ａ    中心
Ｐ２４ｂ    中心
Ｐ２５ａ    中心
Ｐ２５ｂ    中心
Ｐ２６ａ    中心
Ｐ２６ｂ    中心
Ｐ３１ａ    中心
Ｐ３２ａ    中心
ＰＡ        被術者
ＬＨ        左手
ＲＨ        右手
Ｘ１１      基準線
Ｘ１１１    基準線
Ｘ１１２    基準線
Ｘ１２      長軸
Ｘ１２ａ    長軸
Ｘ１２ｂ    長軸
Ｘ１２ｃ    長軸
Ｘ１２ｄ    長軸
Ｘ１２ｅ    長軸
Ｘ１２ｆ    長軸
Ｘ１２ｇ    長軸
Ｘ１２ｈ    長軸
Ｘ１２ｉ    長軸
Ｘ１２ｊ    長軸
Ｘ１３      長軸
Ｘ２１      基準線
Ｘ２１１    基準線
Ｘ２２１    基準線
Ｘ３１      基準線
Ｘ２ａ      長軸
Ｘ２ｂ      長軸
Ｘ２ｃ      直線
Ｘ２ｄ      長軸
Ｘ２ｅ      長軸
Ｘ２ｆ      長軸
Ｘ２ｇ      直線
Ｘ２ｈ      長軸
Ｘ２ｉ      長軸
Ｘ２ｊ      長軸
Ｘ２ｋ      長軸
Ｘ３ａ      長軸
Ｘ３ｂ      長軸
Ｘ３ｃ      直線
ＸＣ        基準線
Ｙ１        軸線
Ｙ１１      軸線
Ｙ１１１    軸線
Ｙ１１２    軸線
Ｙ２        軸線
Ｙ２１      軸線
Ｙ２１１    軸線
Ｙ２１２    軸線
Ｙ２２      軸線
Ｙ２２１    軸線
Ｙ２２２    軸線
Ｙ３１      軸線
Ｙ３２      軸線
ａ１        方向
ａ２        方向
ｂ１        方向
ｂ２        方向
ｃ          櫛歯
ｃ１        櫛歯
ｃ１ａ      基部
ｃ１ｂ      端部
ｃ１ｃ      先端部
ｃ２        櫛歯
ｃ２ａ      基部
ｃ２ｂ      端部
ｃ２ｃ      先端部
ｃＤ        密歯部
ｃＲ        疎歯部
ｃｘ１      長軸
ｃｘ２      長軸
ｃｘ３      長軸
ｃｘ４      長軸
ｄ１        間隔
ｄ２        厚さ
ｄ３        間隔
ｄ４        間隔
ｄ５        厚さ
ｆ１        力
ｆ２        力
ｆ３        力
ｆｃ        基準面
ｆｃ１      扁平形状
ｆｃ２      長円形状
ｆｃ３      扁平形状
ｆｃ４      長円形状
ｆｊ        基準面
ｆｊ１      扁平形状
ｆｊ２      扁平形状
ｈ          毛髪
ｊ          櫛歯
ｊａ        基部
ｊｂ        端部
ｊｃ        先端部
ｊｘ１      長軸
ｊｘ２      長軸
ｌ１        菱形形状
ｌ２        菱形形状
ｌ３        菱形形状
ｘｃ        基準線
ｘｊ        基準線
ｙ          軸線
ｙ１        軸線
ｙ２        軸線
α１１      角度
α１１１    角度
α１１２    角度
α１２      角度
α１３      角度
α２１      角度
α２１１    角度
α２１２    角度
α２２      角度
α２２１    角度
α２２２    角度
α３１      角度
α３２      角度
αＣ１      角度
αＣ２      角度
αｃ１      角度
αｃ２      角度
αｊ        角度
β１１      角度
β１２      角度
β２１      角度
β２２      角度
β３１      角度
β３２      角度
γ１１      角度
γ２１      角度
γ２２      角度
γ３１      角度
γ３２      角度
δ１        距離
δ２        距離
δ３        距離
ε１        角度
ε２        角度
ε３        角度
【要約】
【課題】  施術者に無理な姿勢を強いることなく頭髪のパネルを円滑に梳ることができると同時に、頭髪のパネルを保持し、あるいは持上げることのできる頭髪用の櫛を開発する。その際、全体形状や使い勝手において、従来の櫛から大きくはずれたものとならないように考慮する。
【解決手段】  櫛歯の基部の断面が扁平形状で、該扁平形状の長軸が櫛の長手方向に平行な直線に対して４５°〜８５°の範囲内の角度を有し、櫛歯の長手方向の軸線が櫛の長手方向に平行な直線に対して６０°〜８５°の範囲内角度を有している頭髪用の櫛を提供する。
【選択図】        図１【図１】
0004169778.tif 000002
【図２】
0004169778.tif 000003
【図３】
0004169778.tif 000004
【図４】
0004169778.tif 000005
【図５】
0004169778.tif 000006
【図６】
0004169778.tif 000007
【図７】
0004169778.tif 000008
【図８】
0004169778.tif 000009
【図９】
0004169778.tif 000010
【図１０】
0004169778.tif 000011
【図１１】
0004169778.tif 000012
【図１２】
0004169778.tif 000013
【図１３】
0004169778.tif 000014
【図１４】
0004169778.tif 000015
【図１５】
0004169778.tif 000016
【図１６】
0004169778.tif 000017
【図１７】
0004169778.tif 000018
【図１８】
0004169778.tif 000019
【図１９】
0004169778.tif 000020
【図２０】
0004169778.tif 000021
【図２１】
0004169778.tif 000022
【図２２】
0004169778.tif 000023
【図２３】
0004169778.tif 000024
【図２４】
0004169778.tif 000025
【図２５】
0004169778.tif 000026
【図２６】
0004169778.tif 000027
【図２７】
0004169778.tif 000028
【図２８】
0004169778.tif 000029
【図２９】
0004169778.tif 000030
【図３０】
0004169778.tif 000031
【図３１】
0004169778.tif 000032
【図３２】
0004169778.tif 000033
【図３３】
0004169778.tif 000034
【図３４】
0004169778.tif 000035
【図３５】
0004169778.tif 000036
【図３６】
0004169778.tif 000037
【図３７】
0004169778.tif 000038
【図３８】
0004169778.tif 000039
【図３９】
0004169778.tif 000040
【図４０】
0004169778.tif 000041